(57)【要約】      （修正有）【課題】複数のネットワーク接続ポイントとの複数同時のＯＦＤＭリンクをサポートする方法を提供する。【解決手段】ＭＮは、異なるパス上を転送される、移動体にアドレスされたパケットを可能にする、複数のＩＰアドレスを同時に使用しても良い。その代わりに、ＭＮは、例えばパケットヘッダ情報により識別される、異なるアプリケーションに対応するパケットが異なるパス上を転送されることで、単一のＩＰアドレスを有しても良い。それゆえ、一つのアプリケーション、例えば、音声アプリケーションに対応するパケットは、一つの無線通信リンク上を転送されても良いし、一方、他のアプリケーション、例えば、Ｅメールのようなデータアプリケーションに対応するパケットは、他の無線通信リンク上を転送されても良いし、更に、別のアプリケーション、例えば、ブロードキャストＴＶサービスに対応するパケットは、別の無線通信リンク上を通信されても良い。【選択図】図１
2014057326.tif 000002
【特許請求の範囲】
【請求項１】
ネットワークノードを、無線端末へ向けられたパケットを受信するように操作すること、
前記ネットワークノードを、前記受信パケットのルーティングに用いるために、無線端末との複数同時に保持されるＯＦＤＭ無線通信リンクの一つを選択するように操作すること、及び、
選択された前記ＯＦＤＭ無線リンク上での前記無線端末への配送のために、選択された前記ＯＦＤＭリンクに対応する接続ポイントに対して、前記パケットを通信すること、
を含む、通信方法。
【請求項２】
前記ネットワークノードを前記複数同時に保持されるＯＦＤＭ無線通信リンクの一つを選択するように操作することは、前記複数同時に保持されるＯＦＤＭ無線通信リンクから選択するために、配送されるパケットに対応するアプリケーションについてのアプリケーション情報を提供するインジケータを用いることを含む、請求項１の通信方法。
【請求項３】
前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のキャリア周波数は、いずれも、前記無線端末により受信及び処理されることが可能な周波数バンド内にあり、これにより、前記無線端末が単一の受信機を用いて両キャリア周波数を同時に受信することを可能にする、請求項２の通信方法。
【請求項４】
前記アプリケーション情報は、アプリケーションのタイプを示し、
前記示されたアプリケーションのタイプは、音声アプリケーション、データアプリケーション、及びブロードキャストアプリケーションの一つである、請求項２の通信方法。
【請求項５】
前記ネットワークノードを前記複数同時に保持されるＯＦＤＭ無線通信リンクの一つを選択するように操作することは、パケットのルーティングに前記複数のリンクのいずれを用いるかを判定するために、アプリケーション要求に関係する情報を用いることを含む、請求項２の通信方法。
【請求項６】
前記アプリケーション要求に関係する情報は、パケット配送レイテンシー、バンド幅要求、データレート及びデータ量の少なくとも一つを示す、請求項５の通信方法。
【請求項７】
前記ネットワークノードは、ホームエージェントであり、
前記方法は、更に、ホームエージェントを、前記無線端末に対応する複数の気付けアドレス及び複数の共有気付けアドレスの少なくとも一つを記憶するように操作することを含む、請求項２の通信方法。
【請求項８】
前記無線端末に対応する異なる気付けアドレス又は異なる共有気付けアドレスは、前記複数のリンクの異なるものに対応する、請求項２の通信方法。
【請求項９】
前記方法は、前記ネットワークノードを、前記複数同時に保持される無線通信リンクに対応するリンク品質情報を受信するように操作することを更に含み、
前記ネットワークノードを前記複数同時に保持されるＯＦＤＭ無線通信リンクの一つを選択するように操作することは、前記複数同時に保持されるＯＦＤＭ無線通信リンクから選択するために、受信したリンク品質情を用いることを含む、請求項１の通信方法。
【請求項１０】
前記方法は、前記ネットワークノードを、接続ポイント負荷情報を受信するように操作することを更に含み、
前記ネットワークノードを前記複数同時に保持されるＯＦＤＭ無線通信リンクの一つを選択するように操作することは、ネットワーク接続ポイント負荷情報の機能として前記通信リンクを選択することを含む、請求項９の通信方法。
【請求項１１】
前記方法は、前記ネットワークノードを、リンク干渉情報を受信するように操作することを更に含み、
前記ネットワークノードを前記複数同時に保持されるＯＦＤＭ無線通信リンクの一つを選択するように操作することは、リンク干渉情報の機能として前記通信リンクを選択することを含む、請求項９の通信方法。
【請求項１２】
通信ネットワークにおいて使用されるネットワークノードであって、
無線端末へ向けられたパケットを受信するための手段と、
前記受信パケットのルーティングに用いるために、無線端末との複数同時に保持されるＯＦＤＭ無線通信リンクの一つを選択するための手段と、
選択された前記ＯＦＤＭ無線リンク上での前記無線端末への配送のために、選択された前記ＯＦＤＭリンクに対応する接続ポイントに対して、前記パケットを通信するための手段とを含む、ネットワークノード。
【請求項１３】
前記複数同時に保持されるＯＦＤＭ無線通信リンクの一つを選択するための手段は、前記複数同時に保持されるＯＦＤＭ無線通信リンクから選択するために、配送されるパケットに対応するアプリケーションについてのアプリケーション情報を提供するインジケータを用いるための手段を含む、請求項１２のネットワークノード。
【請求項１４】
前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のキャリア周波数は、いずれも、前記無線端末により受信及び処理されることが可能な周波数バンド内にあり、これにより、前記無線端末が単一の受信機を用いて両キャリア周波数を同時に受信することを可能にする、請求項１３のネットワークノード。
【請求項１５】
前記アプリケーション情報は、アプリケーションのタイプを示し、
前記示されたアプリケーションのタイプは、音声アプリケーション、データアプリケーション、及びブロードキャストアプリケーションの一つである、請求項１３のネットワークノード。
【請求項１６】
前記複数同時に保持されるＯＦＤＭ無線通信リンクの一つを選択するための手段は、パケットのルーティングに前記複数のリンクのいずれを用いるかを判定するために、アプリケーション要求に関係する情報を用いるための手段を含む、請求項１３のネットワークノード。
【請求項１７】
前記アプリケーション要求に関係する情報は、パケット配送レイテンシー、バンド幅要求、データレート及びデータ量の少なくとも一つを示す、請求項１６のネットワークノード。
【請求項１８】
前記ネットワークノードは、ホームエージェントであり、
前記ネットワークノードは、更に、ホームエージェントを、前記無線端末に対応する複数の気付けアドレス及び複数の共有気付けアドレスの少なくとも一つを記憶するための手段を含む、請求項１３のネットワークノード。
【請求項１９】
前記無線端末に対応する異なる気付けアドレス又は異なる共有気付けアドレスは、前記複数のリンクの異なるものに対応する、請求項１３のネットワークノード。
【請求項２０】
前記ネットワークノードは、前記複数同時に保持される無線通信リンクに対応するリンク品質情報を受信するための手段を更に含み、
前記複数同時に保持されるＯＦＤＭ無線通信リンクの一つを選択するための手段は、前記複数同時に保持されるＯＦＤＭ無線通信リンクから選択するために、受信したリンク品質情を用いるための手段を含む、請求項１２のネットワークノード。
【請求項２１】
前記ネットワークノードは、接続ポイント負荷情報を受信するための手段を更に含み、
前記複数同時に保持されるＯＦＤＭ無線通信リンクの一つを選択するための手段は、ネットワーク接続ポイント負荷情報の機能として前記通信リンクを選択するための手段を含む、請求項２０のネットワークノード。
【請求項２２】
前記ネットワークノードは、リンク干渉情報を受信するための手段を更に含み、
前記複数同時に保持されるＯＦＤＭ無線通信リンクの一つを選択するための手段は、リンク干渉情報の機能として前記通信リンクを選択するための手段を含む、請求項２０のネットワークノード。
【請求項２３】
ネットワークノードであって、
無線端末に対応するアドレスを含むパケットを他のネットワークノードから受信するための受信機、
無線端末との複数同時に保持されるＯＦＤＭ無線通信リンクの一つを、前記受信パケットの該無線端末へのルーティングに用いるために、選択するためのルーティング制御モジュール、及び、
選択された前記ＯＦＤＭ無線リンク上での前記無線端末への配送のために、選択された前記ＯＦＤＭリンクに対応する接続ポイントに対して、前記パケットを通信するための送信機、
を含む、ネットワークノード。
【請求項２４】
前記ルーティング制御モジュールは、前記複数同時に保持されるＯＦＤＭ無線通信リンクから選択するために、配送されるパケットに対応するアプリケーションについてのアプリケーション情報を提供する、受信パケット中に含まれるインジケータを用いるためのアプリケーション情報インジケータ処理モジュールを含む、請求項２３のネットワークノード。
【請求項２５】
前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のキャリア周波数は、いずれも、前記無線端末により受信及び処理されることが可能な周波数バンド内にあり、これにより、前記無線端末が単一の受信機を用いて両キャリア周波数を同時に受信することを可能にする、請求項２４のネットワークノード。
【請求項２６】
前記ルーティング制御モジュールは、パケットのルーティングに用いるために前記複数の利用可能なリンクから選択する場合に考慮すべきアプリケーション要求を判定するアプリケーション要求判定モジュールを含む、請求項２４のネットワークノード。
【請求項２７】
前記ネットワークノードは、ホームエージェントであり、
前記ネットワークノードは、更に、ホームエージェントを、前記無線端末に対応する複数の気付けアドレス及び複数の共有気付けアドレスの少なくとも一つを記憶するメモリを含む、請求項２４のネットワークノード。
【請求項２８】
前記無線端末に対応する異なる気付けアドレス又は異なる共有気付けアドレスは、前記複数のリンクの異なるものに対応する、請求項２４のネットワークノード。
【請求項２９】
前記ネットワークノードは、前記複数同時に保持される無線通信リンクの少なくとも幾つかにおける情報を提供するリンク品質情報を受信するためのリンク品質情報モジュールを更に含み、
前記ネットワークノードを、前記複数同時に保持されるＯＦＤＭ無線通信リンクの一つを選択するように操作することは、前記複数同時に保持されるＯＦＤＭ無線通信リンクから選択するために、受信したリンク品質情を用いることを含む、請求項２３のネットワークノード。
【請求項３０】
第１及び第２のネットワーク接続ポイントとの第１及び第２のＯＦＤＭ通信リンクをそれぞれ同時に保持すること、
第１のアプリケーションに対応するパケットを通信する第１のＯＦＤＭ通信リンク上で、信号を通信するために用いられるトーンを受信すること、
第２のアプリケーションに対応するパケットを通信する第２のＯＦＤＭ通信リンク上で、信号を通信するために用いられるトーンを受信すること、及び、
前記第１及び第２のＯＦＤＭ通信リンクに対応する受信トーンからパケットを再生すること、
を含む、無線端末操作方法。
【請求項３１】
前記第１及び第２のＯＦＤＭリンクは、二つの異なる基地局に対するものであり、前記第１及び第２のＯＦＤＭリンクの少なくとも一つは、双方向通信リンクであり、
前記通信方法は、更に、前記双方向通信リンク上に少なくとも幾つかのパケットを送信することを含む、請求項３０の無線端末操作方法。
【請求項３２】
前記第１のＯＦＤＭリンクは、第１のキャリア周波数を使用し、前記第２のＯＦＤＭリンクは、第２のキャリア周波数を使用し、前記第１及び第２のキャリア周波数は、異なるものであり、
前記第１の通信リンクに対応するトーンを受信し及び前記第２の通信リンクに対応するトーンを受信するステップは、単一のアナログ受信機フィルタを通して、前記第１の通信リンクに対応するトーン及び前記第２の通信リンクに対応するトーンを含み、前記第１及び第２のＯＦＤＭリンクに対応するキャリア周波数を含む、受信信号を通過させること、
前記第１及び第２のＯＦＤＭ通信リンクに対応する受信トーンからパケットを再生するステップは、前記アナログ受信機フィルタにより生成された濾過信号をデジタイズすること、及び、前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理することを含む、請求項３０の無線端末操作方法。
【請求項３３】
前記第１及び第２のＯＦＤＭリンクは、異なるトーンブロックを用いる、請求項３０の無線端末操作方法。
【請求項３４】
前記第１及び第２のＯＦＤＭリンクは、同じ基地局の異なるセクタに対するものである、請求項３０の無線端末操作方法。
【請求項３５】
前記第１のＯＦＤＭ通信リンクは、双方向通信リンクであり、前記第２のＯＦＤＭ通信リンクは、片方向通信リンクである、請求項３０の無線端末操作方法。
【請求項３６】
保持されている前記第１及び第２の通信リンクと同時に第３のネットワーク接続ポイントとの第３の通信リンクを保持すること、及び、
前記第３の通信リンク上で、第３のアプリケーションに対応するパケットを受信することを更に含む、請求項３０の無線端末操作方法。
【請求項３７】
前記第１及び第３の通信リンクは、双方向通信リンクであり、前記第２の通信リンクは、片方向通信リンクである、請求項３６の無線端末操作方法。
【請求項３８】
前記第１のＯＦＤＭ通信リンク上に、前記第１のアプリケーションに対応するパケットを送信すること、及び、
前記第３の通信リンク上に、前記第３のアプリケーションに対応するパケットを送信することを更に含む、請求項３７の無線端末操作方法。
【請求項３９】
前記第１のアプリケーションは、データアプリケーションであり、前記第２のアプリケーションは、ダウンリンクビデオブロードキャストアプリケーションであり、前記第３のアプリケーションは、音声アプリケーションである、請求項３８の無線端末操作方法。
【請求項４０】
前記第１のアプリケーションに対応するパケットを再生することは、前記第１の接続ポイントからの受信ＯＦＤＭダウンリンク信号を処理することを含み、
前記第２のアプリケーションに対応するパケットを再生することは、前記第２の接続ポイントからの受信ＯＦＤＭダウンリンク信号を処理することを含み、
前記第３のアプリケーションに対応するパケットを受信することは、前記第３の接続ポイントからの受信ＣＤＭＡダウンリンク信号を処理することを含む、請求項３８の無線端末操作方法。
【請求項４１】
第１及び第２のネットワーク接続ポイントとの第１及び第２のＯＦＤＭ通信リンクを同時に保持することは、第１のアプリケーションに関連する第１のＩＰアドレスと第２のアプリケーションに関連する第２のＩＰアドレスとの、二つの異なるＩＰアドレスを保持することを含む、請求項３０の無線端末操作方法。
【請求項４２】
第１及び第２のネットワーク接続ポイントとの第１及び第２のＯＦＤＭ通信リンクをそれぞれ同時に保持するための手段と、
第１のアプリケーションに対応するパケットを通信する第１のＯＦＤＭ通信リンク上で、信号を通信するために用いられるトーンを受信するための手段と、
第２のアプリケーションに対応するパケットを通信する第２のＯＦＤＭ通信リンク上で、信号を通信するために用いられるトーンを受信するための手段と、
前記第１及び第２のＯＦＤＭ通信リンクに対応する受信トーンからパケットを再生するための手段とを含む、無線端末。
【請求項４３】
前記第１及び第２のＯＦＤＭリンクの少なくとも一つは、双方向通信リンクであり、
前記無線端末は、更に、前記双方向通信リンク上に少なくとも幾つかのパケットを送信するための手段を含む、請求項４２の無線端末。
【請求項４４】
前記第１のＯＦＤＭリンクは、第１のキャリア周波数を使用し、前記第２のＯＦＤＭリンクは、第２のキャリア周波数を使用し、前記第１及び第２のキャリア周波数は、異なるものであり、
前記無線端末は、
単一のアナログ受信機フィルタを通して、前記第１の通信リンクに対応するトーン及び前記第２の通信リンクに対応するトーンを含み、前記第１及び第２のＯＦＤＭリンクに対応するキャリア周波数を含む、受信信号を通過させるための手段と、
前記アナログ受信機フィルタにより生成された濾過信号をデジタイズするための手段と、
前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理するための手段とを更に含む、請求項４２の無線端末。
【請求項４５】
前記第１及び第２のＯＦＤＭリンクは、異なるトーンブロックを用いる、請求項４２の無線端末。
【請求項４６】
前記第１及び第２のＯＦＤＭリンクは、同じ基地局の異なるセクタに対するものである、請求項４２の無線端末。
【請求項４７】
前記第１のＯＦＤＭ通信リンクは、双方向通信リンクであり、前記第２のＯＦＤＭ通信リンクは、片方向通信リンクである、請求項４２の無線端末。
【請求項４８】
保持されている前記第１及び第２の通信リンクと同時に第３のネットワーク接続ポイントとの第３の通信リンクを保持するための手段と、
前記第３の通信リンク上で、第３のアプリケーションに対応するパケットを受信するための手段とを更に含む、請求項４２の無線端末。
【請求項４９】
前記第１及び第３の通信リンクは、双方向通信リンクであり、前記第２の通信リンクは、片方向通信リンクである、請求項４８の無線端末。
【請求項５０】
前記第１のＯＦＤＭ通信リンク上に、前記第１のアプリケーションに対応するパケットを送信するための手段と、
前記第３の通信リンク上に、前記第３のアプリケーションに対応するパケットを送信するための手段とを更に含む、請求項４９の無線端末。
【請求項５１】
前記第１のアプリケーションは、データアプリケーションであり、前記第２のアプリケーションは、ダウンリンクビデオブロードキャストアプリケーションであり、前記第３のアプリケーションは、音声アプリケーションである、請求項５０の無線端末。
【請求項５２】
前記第１のアプリケーションに対応するパケットを再生するための手段は、前記第１の接続ポイントからの受信ＯＦＤＭダウンリンク信号を処理するための手段を含み、
前記第２のアプリケーションに対応するパケットを再生するための手段は、前記第２の接続ポイントからの受信ＯＦＤＭダウンリンク信号を処理するための手段を含み、
前記第３のアプリケーションに対応するパケットを受信するための手段は、前記第３の接続ポイントからの受信ＣＤＭＡダウンリンク信号を処理するための手段を含む、請求項４９の無線端末。
【請求項５３】
前記第１及び第２のネットワーク接続ポイントとの第１及び第２のＯＦＤＭ通信リンクを同時に保持するための手段は、第１のアプリケーションに関連する第１のＩＰアドレスと第２のアプリケーションに関連する第２のＩＰアドレスとの、二つの異なるＩＰアドレスを保持するための手段を含む、請求項４２の無線端末。
【請求項５４】
第１及び第２のネットワーク接続ポイントとの第１及び第２のＯＦＤＭ通信リンクをそれぞれ同時に保持するためのリンク状態情報を含むメモリと、
第１のアプリケーションに対応するパケットを通信する第１のＯＦＤＭ通信リンク上で信号を通信するために用いられるトーンと、第２のアプリケーションに対応するパケットを通信する第２のＯＦＤＭ通信リンク上で信号を通信するために用いられるトーンとを同時に受信するための受信機モジュールと、
前記第１及び第２のＯＦＤＭ通信リンクに対応する受信トーンからパケットを再生するためのパケットモジュールとを含む、無線端末。
【請求項５５】
前記第１及び第２のＯＦＤＭリンクの少なくとも一つは、双方向通信リンクであり、
前記無線端末は、更に、前記双方向通信リンク上に少なくとも幾つかのパケットを送信するための手段を含む、請求項５４の無線端末。
【請求項５６】
前記第１及び第２のＯＦＤＭリンクは、同じ基地局に対するものであるが、異なる第１及び第２のキャリア周波数を用いるものであり、
前記受信機モジュールは、
前記第１及び第２の通信リンクに対応する前記トーンを通過させるための単一のアナログ受信機フィルタと、
前記アナログ受信機フィルタにより生成された濾過信号をデジタイズするためのアナログ・デジタルコンバータと、
第１及び第２のデジタル信号処理モジュールとを含み、
前記第１のデジタル信号処理モジュールは、前記第１のパケットを再生するために、第１のデジタル受信機チェーンを用いて、前記第１の通信リンクに対応する前記デジタイズされた信号中のトーンを処理し、前記第２のデジタル信号処理モジュールは、前記第１のパケットを再生するために、前記第２の通信リンクに対応するトーンを処理する、請求項５４の無線端末。
【請求項５７】
前記第１のＯＦＤＭ通信リンクは、双方向通信リンクであり、前記第２のＯＦＤＭ通信リンクは、片方向通信リンクである、請求項５４の無線端末。
【請求項５８】
前記メモリは、更に、
保持されている前記第１及び第２の通信リンクと同時に第３のネットワーク接続ポイントとの第３の通信リンクを保持するために記憶された状態情報を含み、
前記受信機モジュールは、更に、
前記第３の通信リンク上を通信された信号から、第３のアプリケーションに対応するパケットを再生するための第３のデジタル信号処理モジュールを含む、請求項５４の無線端末。
【請求項５９】
前記第１及び第２の通信リンクに対応するメモリ中に記憶された前記状態情報は、第１のアプリケーション及び第１の通信リンクに関連する第１のＩＰアドレスと第２のアプリケーション及び第２の通信リンクに関連する第２のＩＰアドレスとの、二つの異なるＩＰアドレスを含む、請求項５４の無線端末。
【請求項６０】
ネットワークノードに通信方法を実行させるように制御するための機械実行可能な命令を格納したコンピュータ読み取り可能な媒体であって、
前記方法は、
ネットワークノードを、無線端末へ向けられたパケットを受信するように操作すること、
前記ネットワークノードを、前記受信パケットのルーティングに用いるために、無線端末との複数同時に保持されるＯＦＤＭ無線通信リンクの一つを選択するように操作すること、及び、
選択された前記ＯＦＤＭ無線リンク上での前記無線端末への配送のために、選択された前記ＯＦＤＭリンクに対応する接続ポイントに対して、前記パケットを通信すること、
を含む、コンピュータ読み取り可能な媒体。
【請求項６１】
前記コンピュータ読み取り可能な媒体は、更に、前記ネットワークノードを前記複数同時に保持されるＯＦＤＭ無線通信リンクの一つを選択するように操作するステップの一部として、前記複数同時に保持されるＯＦＤＭ無線通信リンクから選択するために、配送されるパケットに対応するアプリケーションについてのアプリケーション情報を提供するインジケータを用いるための機械実行可能な命令を格納する、請求項６０のコンピュータ読み取り可能な媒体。
【請求項６２】
前記コンピュータ読み取り可能な媒体は、更に、前記ネットワークノードを前記複数同時に保持されるＯＦＤＭ無線通信リンクの一つを選択するように操作するステップの一部として、パケットのルーティングに前記複数のリンクのいずれを用いるかを判定するために、アプリケーション要求に関係する情報を用いるための機械実行可能な命令を格納する、請求項６１のコンピュータ読み取り可能な媒体。
【請求項６３】
前記コンピュータ読み取り可能な媒体は、更に、前記ネットワークノードを前記複数同時に保持されるＯＦＤＭ無線通信リンクの一つを選択するように操作するステップの一部として、前記ネットワークノードを、前記複数同時に保持される無線通信リンクに対応するリンク品質情報を受信するように操作し、及び、前記複数同時に保持されるＯＦＤＭ無線通信リンクから選択するために、受信したリンク品質情を用いるための機械実行可能な命令を格納する、請求項６０のコンピュータ読み取り可能な媒体。
【請求項６４】
無線端末に通信方法を実行させるように制御するための機械実行可能な命令を格納したコンピュータ読み取り可能な媒体であって、
前記方法は、
第１及び第２のネットワーク接続ポイントとの第１及び第２のＯＦＤＭ通信リンクをそれぞれ同時に保持すること、
第１のアプリケーションに対応するパケットを通信する第１のＯＦＤＭ通信リンク上で、信号を通信するために用いられるトーンを受信すること、
第２のアプリケーションに対応するパケットを通信する第２のＯＦＤＭ通信リンク上で、信号を通信するために用いられるトーンを受信すること、及び、
前記第１及び第２のＯＦＤＭ通信リンクに対応する受信トーンからパケットを再生すること、
を含む、コンピュータ読み取り可能な媒体。
【請求項６５】
前記第１のＯＦＤＭリンクは、第１のキャリア周波数を使用し、前記第２のＯＦＤＭリンクは、第２のキャリア周波数を使用し、前記第１及び第２のキャリア周波数は、異なるものであり、
前記コンピュータ読み取り可能な媒体は、更に、
前記第１の通信リンクに対応するトーンを受信し及び前記第２の通信リンクに対応するトーンを受信するステップの一部として、単一のアナログ受信機フィルタを通して、前記第１の通信リンクに対応するトーン及び前記第２の通信リンクに対応するトーンを含み、前記第１及び第２のＯＦＤＭリンクに対応するキャリア周波数を含む、受信信号を通過させ、
前記第１及び第２のＯＦＤＭ通信リンクに対応する受信トーンからパケットを再生するステップの一部として、前記アナログ受信機フィルタにより生成された濾過信号をデジタイズし、及び、
前記第１及び第２のＯＦＤＭ通信リンクに対応する受信トーンからパケットを再生するステップの一部として、前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理するための機械実行可能な命令を格納する、請求項６４のコンピュータ読み取り可能な媒体。
【請求項６６】
前記第１のＯＦＤＭ通信リンクは、双方向通信リンクであり、前記第２のＯＦＤＭ通信リンクは、片方向通信リンクである、請求項６４のコンピュータ読み取り可能な媒体。
【請求項６７】
前記第１及び第３の通信リンクは、双方向通信リンクであり、前記第２の通信リンクは、片方向通信リンクである、請求項６６のコンピュータ読み取り可能な媒体。
【請求項６８】
前記第１のアプリケーションは、データアプリケーションであり、前記第２のアプリケーションは、ダウンリンクビデオブロードキャストアプリケーションであり、前記第３のアプリケーションは、音声アプリケーションである、請求項６７のコンピュータ読み取り可能な媒体。
【請求項６９】
前記コンピュータ読み取り可能な媒体は、更に、
前記第１のアプリケーションに対応するパケットを再生するステップの一部として、前記第１の接続ポイントからの受信ＯＦＤＭダウンリンク信号を処理し、
前記第２のアプリケーションに対応するパケットを再生するステップの一部として、前記第２の接続ポイントからの受信ＯＦＤＭダウンリンク信号を処理し、及び、
前記第３のアプリケーションに対応するパケットを受信するステップの一部として、前記第３の接続ポイントからの受信ＣＤＭＡダウンリンク信号を処理するための機械実行可能な命令を格納する、請求項６８のコンピュータ読み取り可能な媒体。
【請求項７０】
前記コンピュータ読み取り可能な媒体は、更に、
第１及び第２のネットワーク接続ポイントとの第１及び第２のＯＦＤＭ通信リンクを同時に保持するステップの一部として、第１のアプリケーションに関連する第１のＩＰアドレスと第２のアプリケーションに関連する第２のＩＰアドレスとの、二つの異なるＩＰアドレスを保持するための機械実行可能な命令を格納する、請求項６４のコンピュータ読み取り可能な媒体。
【発明の詳細な説明】
【技術分野】
【０００１】
本発明は、無線端末との通信をサポートする方法及び装置に関し、特に無線リンクを複数同時にサポート可能であるモバイルノードとともに使用する方法及び装置に関する。
【背景技術】
【０００２】
無線通信機器の使用及び無線通信に基づくインターネットサービスへのアクセスの需要が増加し続けている。サービスプロバイダは、消費者に対して革新的な新しいサービスを提供するために、ＣＤＭＡ、及びＴＤＭＡ及び今日のＯＦＭＤＡのような高度なアクセス技術を絶えず展開させている。ネットワークノードの数及びタイプにおける進歩は、増加した総利益をもたらす消費者及びビジネスユーザによる無線ネットワークの増加した使用を、先導している。より多くのタイプのパケットデータアプリケーション、例えば、より従来の無線音声サービスに加えて、様々なタイプの無線インターネットサービス及び／又はダウンリンクブロードキャストサービス、が無線端末ユーザに対して広く利用可能になるように、より高度な無線端末、例えば、モバイルノード、複数の送信機からの複数のサービスを効率的なやり方でサポートする装置及び方法、が成長している必要がある。無線通信ユースに利用可能な全般的なエアーリンクリソース、例えば、周波数スペクトラム、は限定されている。したがって、様々な競合するユーザ及びアプリケーションのためのそのようなリソースの効率的な使用は、特にそれら限定されたリソースの需要が増加し続けていることから、非常に重要な考察になる。加えて、サービスプロバイダは、無線端末ユーザに対して、単一の通信機器からの複数のアプリケーションを同時実行する能力を提供することが可能であることを望むであろうし、それら異なるアプリケーションは、例えば、レイテンシー要求、データレートニーズ、データフローの方向、及び／又はサービス品質パラメータの点で、異なるニーズを持つものであろう。加えて、異なるアプリケーションに対応するデータは、異なる無線アクセスリソース、例えば、柔軟な配送方法の需要を創造する、広帯域チャネルの異なるキャリア周波数又はサブバンドの使用、から最も良く利用可能になってもよい。
【０００３】
上記のものを考慮して、同じ無線通信機器で同時に動作する複数のアプリケーションをサポートする無線通信方法及び装置が必要とされる。さらに、複数の通信リンク上で同時に動作するモバイル無線端末をサポートする方法及び装置は有利である。また、そのような方法及び装置が、効率を促進するために、異なるアプリケーションニーズ、異なる無線リンク品質及び／又は異なるユーザサービスレベルを考慮すれば、有益である。
【発明の概要】
【０００４】
モバイルノード（ＭＮ）は、複数のネットワーク接続ポイントの同時処理をサポートすることが可能である。モバイルノードは、広帯域のモバイルノードとして実装されてもよいが、これは必須ではない。異なるネットワーク接続ポイントは、異なる基地局（ＢＳ）又は同じ基地局における異なるネットワーク接続ポイント、例えばセクタ、でも良い。単一の基地局における異なるネットワーク接続ポイントは、該基地局の異なるセクタに対応する異なる通信周波数及び／又はサブバンドをサポートするための回路又はモジュールを含んでも良い。異なるネットワーク接続ポイントは、一つ以上の異なる識別子を用いることによって識別されても良い。異なる識別子は、例えば、異なる基地局識別子、セクタ識別子及び／又はキャリア周波数識別子（例えば、ビーコン及び／又はパイロット）であっても良い。移動体がネットワークに関して移動するにつれて、複数の無線リンクが、複数対応するＢＳ接続ポイントと共に、同時に操作されてもよい。様々な実施形態では、典型的なＭＮは、二つの受信機チェーン及び二つの送信機チェーンを含んでいる。他の実施形態においては、単一のラジオ受信機及び／又は送信機チェーンは、異なるネットワーク接続ポイントと通信するために使用される複数のトーン上を送信されるシンボルを再生（recover）及び／又は生成するために用いられる個別のデジタル信号処理と共に、用いられても良い。
【０００５】
様々な実施形態に従って、ＭＮは、該移動体に割り当てられた複数のＩＰアドレスを同時に用いて、該移動体の異なるアドレスにより該移動体にアドレスされた複数のパケットが、同じ又は異なるキャリア周波数を用いて実装されても良い異なる複数のＢＳ及び／又はＢＳセクタに対応する、異なる複数の無線通信リンク上を、転送できるようにしても良い。ＭＮに割り当てられた異なる複数のＩＰアドレスは、同じホームエージェントノードに対応しても良いし、又は異なる複数のホームエージェントノードに対応しても良い。複数のＩＰアドレスが割り当てられるのに代わって、ＭＮは、例えばパケット中のヘッダ情報により識別される、異なるアプリケーションに対応するパケットが、該ＭＮに対する異なる通信パス及び無線通信リンク上を転送されることで、それに割り当てられた単一のＩＰアドレスを有しても良い。それゆえ、様々な実施形態に従って、一つのアプリケーション、例えば、音声アプリケーション、に対応するパケットは、一つの無線通信リンク上を転送されても良いし、一方、他のアプリケーション、例えば、Ｅメールのようなデータアプリケーション、に対応するパケットは、他の無線通信リンク上を転送されても良いし、一方、更に、別のアプリケーション、例えば、ブロードキャストＴＶサービスに対応するパケットは、別の無線通信リンク上を通信されても良い。異なる複数の通信パス（例えば、無線リンク）の通信方向、レイテンシー、リライアビリティー及び他のサービス品質特性は、与えられたアプリケーションの最低限の要求を満足しつつ、該アプリケーションに関してＭＮのユーザにコストエフェクティブなサービスを提供するように選択されても良い。それゆえ、音声は、例えばより高いレイテンシーになるであろう低コストの無線リンク上を転送されるＥメール及び一方向伝送上のブロードキャストサービスとともに、低レイテンシーの無線通信リンク上を移動体へ転送されても良い。ＭＮは、異なる複数のネットワーク接続ポイントとの複数の無線通信リンクを同時にサポートできるので、そのようなサービス提供へのアプローチは、アプリケーションの特有なニーズを、利用可能なネットワークサービスレベル及び／又は負荷条件を与えられたアプリケーション要求にマッチさせることにより、コスト及び／又は便宜の点でユーザベネフィットを提示する。例えば、ＷＩＦＩ通信リンクは、異なるタイプのアプリケーション、例えば、ビデオブロードキャストアプリケーション、をサポートするために用いられる他の通信スタンダードに基づくリンクとともに、幾つかのアプリケーションのために用いられることができる。
【０００６】
様々な実施形態が上記のサマリーで検討されているが、全ての実施形態が同一の特徴を含む必要はなく、また、上記に記述された幾つかの特徴は必須であるということではなく幾つかの実施形態において望ましくなり得るということが、正しく理解されるべきである。様々な実施形態の多数の付加的な特徴、態様及び利点は、続く詳細な説明で検討されている。
【図面の簡単な説明】
【０００７】
【図１】様々な実施形態に従って実施された典型的な通信システムを示す。
【図２】典型的な基地局−アクセスノードを示す。
【図３】典型的なモバイルノード（ＭＮ）を示す。
【図４】三つの異なる隣接した周波数バンドＦ１，Ｆ２，Ｆ３を示す（各周波数バンドは、それぞれ、キャリア周波数Ｃ１，Ｃ２，Ｃ３の周りに集中しており、各周波数バンドは、複数のトーン、例えば、シンボル情報を通信するために用いられる一様に間隔を空けられた複数の周波数に分割されている）。
【図５】移動体は異なるセクタ又はセルに位置する、異なるネットワーク接続ポイントとの複数の通信リンクを持つことも出来る一例を示す。
【図６】典型的な通信方法のフローチャートである。
【図７】典型的な無線端末の操作方法のフローチャートである。
【図８】典型的なネットワークノードの図である。
【図９】典型的な無線端末の図である。
【図１０】図９の無線端末で用いられても良い典型的な受信機モジュールの図である。
【図１１】図６の方法を実施しても良い典型的なネットワークノード（例えばホームエージェントノード）の図である。
【図１２】図７の方法を実施しても良い典型的な無線端末（例えばモバイルノード）の図である。
【詳細な説明】
【０００８】
図１は、様々な実施形態に従って実装された典型的な通信システム１００を示す。典型的な通信システム１００は、例えば、直交波周波数分割多重（ＯＦＤＭ）無線通信システムであっても良い。典型的な通信システム１００は、複数のセル（セル１（１０２），セル２（１０４））を含んでいる。各セル（１０２，１０４）は、それぞれ、対応する基地局（ＢＳ１（１０６），ＢＳ２（１０８））のための無線カバー範囲を表す。ＢＳ（１０６，１０８）は、それぞれ、ネットワークリンク（１１４，１１６）を介して、ネットワークノード１１２、例えばルータ、に接続される。ネットワークノード１１２は、ネットワークリンク１１８を介して、他のネットワークノード、例えば、他の基地局、ホームエージェントノード、ＡＡＡサーバノード、アプリケーションサーバノード及び／又はインターネット、に接続される。ネットワークリンク１１４，１１６，１１８は、例えば、ファイバー光リンクであっても良い。
【０００９】
システム１００は、また、複数の無線端末、例えば、モバイルノード（ＭＮ）を含む。少なくとも幾つかは、複数のネットワーク接続ポイントの同時操作をサポートする。異なるネットワーク接続ポイントは、異なる基地局であってもよいし、又は同じ基地局での異なるネットワーク接続ポイントであってもよい。単一の基地局での異なるネットワーク接続ポイントは、異なる複数の通信周波数をサポートし及び／又は基地局により提供される一つのセルの異なる複数の通信セクタに対応する、回路又はモジュールを含んでも良い。異なるネットワーク接続ポイントは、一つ以上の異なる識別子を用いて識別されても良い。該異なる識別子は、例えば、異なる基地局識別子、セクタ識別子、及び／又はキャリア周波数識別子であっても良い。典型的なＭＮ、ＭＮ１（１１０）は、高性能ＭＮとして実装されても良いが、これは必須ではない。ＭＮ１１０は、システム１００の全体にわたって移動して、一つ以上のＢＳとの一つの無線リンク又は複数のリンクを確立しても良い。複数の対応するＢＳ接続ポイントとの複数の無線リンクは、同時に操作されても良い。ＭＮ１１０は、二つの受信機チェーン（受信機チェーン１（１３２），受信機チェーン２（１３４））及び二つの送信機チェーン（送信機チェーン１（１３６），送信機チェーン２（１３８））を含む。様々な実施形態に従って、ＭＮは、該移動体に割り当てられた複数のＩＰアドレスを同時に用いて、該移動体の異なるアドレスにより該移動体にアドレスされた複数のパケットが、同じ又は異なるキャリア周波数を用いて実装されても良い異なる複数のＢＳ及び／又はＢＳセクタ、に対応する異なる複数の通信パス、例えば、異なる複数の無線通信リンク、上を転送できるようにしても良い。ＭＮ１１０に割り当てられた異なる複数のＩＰアドレスは、同じホームエージェントノードに対応しても良いし、又は異なる複数のホームエージェントノードに対応しても良い。複数のＩＰアドレスが割り当てられるのに代わって、ＭＮ１１０は、例えばパケット内のヘッダ情報により識別される、異なるアプリケーションに対応するパケットが、ＭＮ１１０に対する異なる通信パス及び無線通信リンク上を転送されることで、それに割り当てられた単一のＩＰアドレスを有しても良い。それゆえ、様々な実施形態に従って、一つのアプリケーション、例えば、音声アプリケーションに対応するパケットは、一つの無線通信リンク上を転送されても良いし、一方、他のアプリケーション、例えば、Ｅメールのようなデータアプリケーションに対応するパケットは、他の無線通信リンク上を転送されても良いし、一方、更に、別のアプリケーション、例えば、ブロードキャストＴＶサービスに対応するパケットは、別の無線通信リンク上を通信されても良い。異なる通信パス（例えば、無線リンク）の通信方向、レイテンシー、リライアビリティー及び他のサービス品質特性は、与えられたアプリケーションの最低限の要求を満足しつつ、該アプリケーションに関してＭＮのユーザにコストエフェクティブなサービスを提供するように選択されても良い。それゆえ、音声は、例えばより高いレイテンシーになるであろう低コストの無線リンク上を転送されるＥメール及び一方向伝送上のブロードキャストサービスとともに、低レイテンシーの無線通信リンク上を移動体へ転送されても良い。ＭＮ１１０が、異なる複数のネットワーク接続ポイントとの複数の無線通信リンクを同時にサポートできるので、そのようなサービス提供へのアプローチは、アプリケーションの特有なニーズを、利用可能なネットワークサービスレベル及び／又は負荷条件を与えられたアプリケーション要求にマッチさせることにより、コスト及び／又は便宜の点で、ユーザベネフィットを提示する。
【００１０】
図示された典型的なシステムでは、第１の無線リンク１２０は、ＭＮ１（１１０）をＢＳ１（１０６）に接続する。ＭＮ１（１１０）に含まれるＩＰアドレス／情報１（１４０）は、アプリケーション１のルーティングシグナリング１２４に用いられるアドレシングに対応する。ＭＮ１１０は、無線リンク１２０上でＢＳ１（１０６）からダウンリンク信号を受信するための受信機チェーン１（１３２）を用いて示される。ＭＮ１１０は、無線リンク１２０上でＢＳ１（１０６）へアップリンク信号を送信するための送信機チェーン１（１３６）を用いて示される。第２の無線リンク１２２は、ＭＮ１（１１０）をＢＳ２（１０８）に接続する。ＭＮ１（１１０）に含まれるＩＰアドレス／情報２（１４２）は、アプリケーション２のルーティングシグナリング１２６に用いられるアドレシングに対応する。ＭＮ１１０は、無線リンク１２２上でＢＳ２１（１０８）からダウンリンク信号を受信するための受信機チェーン２（１３４）を用いて示される。ＭＮ１１０は、無線リンク１２２上でＢＳ２（１０８）へアップリンク信号を送信するための送信機チェーン２（１３８）を用いて示される。
【００１１】
ＢＳ１（１０６）中に示されるアプリケーション１のパケット１２８は、ＭＮ１（１１０）と他のエンドポイント、例えば、アプリケーション１のサーバノード１４０との間のパケットフローの中間ポイントを表す。該パケットフローパスは、無線リンク１２０及びネットワークリンク１１４を含む。ＢＳ２（１０８）中に示されるアプリケーション２のパケット１３０は、ＭＮ１（１１０）と他のエンドポイント、例えば、アプリケーション２のサーバノード１５０との間のパケットフローの中間ポイントを表す。該パケットフローパスは、無線リンク１２２及びネットワークリンク１１６を含む。図１において、ネットワークリンク１１４，１１６は、同じネットワークノード１１２に接続されるように示されているが、アプリケーションサーバ１４０，１５０からのパケットが転送される。ネットワークノード１１２におけるルーティングは、ＭＮに対応してどのアドレスが用いられているか、及び／又は、どのアプリケーションがパケットを送信したかに応じて相違する。アプリケーション識別情報は、パケットヘッダ中に含まれていても良い。ノード１１２は、ＭＮのホームエージェントとして働くノードであっても良い。そのような一つの実施形態において、ノード１１２は、ＭＮ１１０へ、それが無線リンクを確立するそのネットワークの外へ移動した場合に、パケットをリダイレクトする責務を持つ。サーバ１４０，１５０の一つ又は両方によりサポートされても良い様々な典型的なアプリケーションは、ビデオダウンロードサービス、例えば、ムービーオンデマンド、音楽ダウンロードサービス、オーディオダウンロードサービス、様々なインターネットサービス、インタラクティブゲーミング、データストレージ、データリテンション、データ処理、ビデオコンファレンシング、Ｅメール、ブロードキャストビデオ及びボイスオーバーインターネットプロトコル（ＶｏＩＰ）を含む。
【００１２】
図２は、典型的な基地局−アクセスノード２００を示す。典型的な基地局２００は、図１のシステム１００のＢＳ１０６，１０８のどちらであっても良い。基地局２００は、受信機２０２、送信機２０４、プロセッサ２０６、例えばＣＰＵ、Ｉ／Ｏインタフェース２０８、及びメモリ２１０を含む。それら様々なエレメント２０２，２０４，２０６，２０８，２１０は、該様々なエレメントがデータ及び情報を交換できるバス２１２を介して互いに接続される。基地局２００は、複数のＭＮからのアップリンク信号を受信するための受信機２０２に接続された受信アンテナ２０３を含む。基地局２００は、複数のＭＮへのダウンリンク信号を送信するための送信機２０４に接続された送信アンテナ２０５を含む。受信機モジュール２０２は、デコーダ／デモジュレータ２１４を含み、一方、送信機モジュール２０４は、エンコーダ／モジュレータ２１６を含む。I／Oインタフェース２０８は、基地局２００を、他のネットワークノード、例えば、他の基地局、アプリケーションサーバノード、ルータ、ＡＡＡサーバノード、ホームエージェントノード、及びインターネットへ接続する。
【００１３】
メモリ２１０は、ルーチン２１７及びデータ／情報２３０を含む。プロセッサ２０６は、該基地局２００に操作をさせるために、ルーチン２１７を実行し、メモリ２１０中のデータ／情報２３０を用いる。ルーチン２１８は、基地局２００が様々な通信処理を実行し及び様々な通信プロトコルを遂行するように制御するために用いられる通信ルーチン２１８を含む。ルーチン２１７は、また、基地局２００がその方法のステップを遂行するように制御するために用いられる基地局制御ルーチン２２０を含む。基地局制御ルーチン２２０は、送信スケジュール及び／又は通信リソース割り当てを制御するために用いられるスケジューリングモジュール２２２を含む。それゆえ、モジュール２２２は、スケジューラとして働いても良い。
【００１４】
様々な実施形態に従って、ＢＳ２００は、例えば隣接する基地局のネットワーク接続ポイントのような異なるネットワーク接続ポイントとの他の無線リンクを同時に保持するＭＮとの無線リンクを保持し、ＭＮのためのリソースをスケジュールしても良い。幾つかの実施形態では、ＢＳ２００は、同じＭＮとの複数同時の無線リンクを確立及び保持しても良い。例えば、同じＭＮに関して、ＢＳ２００は、各々の無線リンクのための異なるキャリア周波数を用いて二つの無線リンクを確立及び保持しても良いし、或いは、ＢＳ２００は、異なるセクタ接続ポイントで二つの無線リンクを確立及び保持しても良いし、或いは、同じキャリア周波数及び同じセクタであるが、識別子を割り当てられた異なるＢＳを用いて二つの無線リンクを確立及び保持しても良い。幾つかの実施形態において、ＭＮは、シングルＲＦチェーンであるがマルチデジタルチェーンを用いた広帯域ｒｘ／ｔｘと調子を合わせた時点おいて、単一のＢＳ１０６と影響し合う。一つの特別なブロードキャストＴＶアプリケーションにおいては、該移動体によって、二つのダウンリンクがサポートされており、一方、第２のアプリケーション、例えば、ＴＶアプリケーションは、アップリンクシグナリングを要求しないブロードキャストアプリケーションが与えられて、第２の独立したアップリンクは必要ないので、単一のアップリンクがサポートされている。幾つかのそのような実施形態において、受信機は、両方のダウンリンク信号が受信及びデコードされることを可能にするために、十分に広い周波数バンドをサポートする。
【００１５】
メモリ２１０は、また、通信ルーチン２１８及び制御ルーチン２２０により用いられるデータ／情報２３０を含む。データ／情報２３０は、ユーザにより管理されているアクティブなセッションをリストし及び該セッションを管理するためにユーザにより用いられているモバイル端末（ＭＴ）を識別する情報を含む、各々のアクティブな移動局ユーザのためのエントリ（ユーザ１／ＭＮのセッションＡ及び／又はセッションＢのデータ／情報２３２，ユーザＮ／ＭＮのセッションＸのデータ／情報２３２´）を含む。典型的なユーザ１／ＭＮセッション情報２３２は、（セッションＡのルーティング情報２３４及びセッションＡのアプリケーション１のパケット２３６）及び／又は（セッションＢのルーティング情報２３８及びセッションＢのアプリケーションのパケット２４０）を含む。前に述べたように、ＢＳ２００は、図１のシステム１００のＢＳのどちらであっても良い。例えば、もしＢＳ２００が図１のＢＳ１（１０６）であるならば、セッションＡのルーティング情報２３４及びセッションＡのアプリケーション１のパケット２３６がＢＳ２００に含まれ、一方、セッションＢのルーティング情報２３８及びセッションＢのアプリケーション２のパケット２４０が省略される。そのような場合において、セッションＡのアプリケーション１のパケット２３６は、図１のアプリケーション１のパケット１２８であっても良い。その代わりに、もしＢＳ２００が図１のＢＳ２（１０８）であるならば、セッションＢのルーティング情報２３８及びセッションＢのアプリケーション２のパケット２４０がＢＳ２００に含まれ、一方、セッションＡのルーティング情報２３４及びセッションＡのアプリケーション１のパケット２３６が省略される。そのような場合において、セッションＢのアプリケーション２のパケット２４０は、図１のアプリケーション２のパケット１３０であっても良い。
【００１６】
図３は、典型的なモバイルノード（ＭＮ）１１０を示す。ＭＮ１１０は、二つ以上のネットワーク接続ポイントに対する二つの無線リンクの同時処理をサポートする。例えば、二つのネットワーク接続ポイントは、二つの異なる基地局、同じ基地局の二つの異なるセクタ、同じセクタの二つの異なるキャリア周波数、又は同じＢＳ、セクタ及び使用キャリアに対応する二つの異なる無線端末識別子に対応するものであっても良い。１１０のようなＭＮは、二つの異なる基地局との無線リンクを確立するために、マルチアンテナ３１６，３２４及び３２０，３２８を利用しても良い。加えて、ＭＮは、同じ基地局の二つの異なるセクタ、同じセクタの二つの異なるキャリア周波数、又は同じＢＳ、セクタ及び使用キャリアに対応する二つの異なる無線端末識別子のために、複数の受信機チェーン１３２，１３４及び送信機チェーン１３６，１３８とともに、シングルアンテナ３１６，３２４を利用しても良い。幾つかの実施形態において、ＭＮ１１０は、受信機と送信機の両方のために単一のアンテナを用いる。モバイルノード１１０は、モバイル端末（ＭＴ）として用いられても良い。モバイルノード１１０は、受信機３０２、送信機３０４、プロセッサ３０６、ユーザI／O機器３０８、及びそれら様々なエレメントがデータ及び情報を交換しても良いバス２１２を介して互いに接続されたメモリ３１０を含む。受信機３０２は、複数の受信機チェーン（受信機チェーン１（１３２），受信機チェーン２（１３４））を含む。受信機チェーン１（１３２）は、受信アンテナ３１６に接続され、一方、受信機チェーン２（１３４）は、受信アンテナ３２０に接続される。各受信機チェーン（１３２，１３４）は、それぞれ、伝送に先立って基地局によって符号化された受信ダウンリンク信号をデコードするためのデコーダ（３１４，３１８）を含む。各受信機チェーン（１３２，１３４）は、それぞれ、選択されたキャリア周波数（ｆｃＲ１（３１７），ｆｃＲ２（３１９））に対して、独立してセット又は同調されることができる。送信機３０４は、複数の送信機チェーン（送信機チェーン１（１３６），送信機チェーン２（１３８））を含む。送信機チェーン１（１３６）は、送信アンテナ３２４に接続され、一方、送信機チェーン２（１３８）は、送信アンテナ３２８に接続される。各送信機チェーン（１３６，１３８）は、それぞれ、伝送に先立ってアップリンク信号を符号化するためのエンコーダ（３２２，３２６）を含む。各送信機チェーン（１３６，１３８）は、それぞれ、選択されたキャリア周波数（ｆｃＴ１（３２５），ｆｃＴ２（３２７））に対して、独立してセット又は同調されることができる。幾つかの実施形態においては、受信機チェーン１（１３２）は、第１のネットワーク接続ポイントに対する第１の双方向無線リンクを確立及び保持するために、送信機チェーン１（１３６）と協働して操作され、一方、受信機チェーン２（１３４）は、第２のネットワーク接続ポイントに対する第２の双方向無線リンクを確立及び保持するために、送信機チェーン２（１３８）と協働して操作される。幾つかの実施形態においては、受信機チェーン（１３２，１３４）及び送信機チェーン（１３６，１３８）の各々は���同じ技術、例えば、ＯＦＤＭ技術を使用する。
【００１７】
ユーザI／O機器３０８、例えば、マイクロフォン、キーボード、キーパッド、マウス、ビデオカメラ、スピーカ、ディスプレイなどは、ＭＮ１１０のユーザが、アップリンク上に送信すべきデータ／情報を入力し、及び、例えば、ＭＮ１１０との通信セッションにおける同等のＭＮから及び／又はアプリケーションサーバノードのような様々な他の送信機から、ダウンリンク上で受信された出力データ／情報にアクセスすることを許容する。ユーザI／O機器３０８は、幾つかの実施形態において、また、外部Ｉ／Ｏ機器、例えば、カメラ、ビデオディスプレイ、レコーディング機器、ストレージ機器、オーディオ再生機器などに対するインタフェースを許容するためのユーザI／Oポートを含む。幾つかの実施形態において、異なるI／O機器及び／又は異なるI／Oポートは、同時サポートされている異なる複数のアプリケーションに割り当てられても良い。例えば、マイクロフォン及び対応するスピーカが、ＶｏＩＰアプリケーションに割り当てられても良いし、マウス、キーパッド及びディスプレイが、インタラクティブビデオストリーミングアプリケーションに割り当てられても良い。
【００１８】
メモリ３１０は、ルーチンデータ／情報を含む。プロセッサ３０６、例えば、ＣＰＵは、該ＭＮ１１０の処理を制御するために、ルーチンを実行し、メモリ３１０中のデータ／情報を用いる。モバイルノード１１０の処理を制御するために、メモリ３１０は、通信ルーチン３３０、モバイルノード制御ルーチン３３２、及びアプリケーション３３６を含む。通信ルーチン３３０は、様々な通信処理を実行し及び様々な通信プロトコルを遂行する。モバイルノード制御ルーチン３３２は、処理すべきモバイルノード１１０を制御するために用いられる。モバイルノード制御ルーチン３３２の機能は、ユーザI／O機器３０８の処理を制御すること、送信機３０２を制御すること、及び送信機３０４の処理を制御することを含む。モバイルノード制御ルーチン３３２は、例えば、異なる複数のアプリケーションのために、複数同時の無線リンクの確立及び保持を制御する。アプリケーション３３６は、モバイルノード１１０によりサポートされる複数のアプリケーション（アプリケーション１（３３８），アプリケーション２（３４０））を含む。様々な典型的なアプリケーションは、ビデオダウンロードサービス、例えば、ムービーオンデマンド、音楽ダウンロードサービス、オーディオダウンロードサービス、様々なインターネットサービス、インタラクティブゲーミング、データストレージ、データリテンション、データ処理、ビデオコンファレンシング、及びボイスオーバーインターネットプロトコル（ＶｏＩＰ）を含んでも良い。該システムにおける異なるＭＮ１１０は、異なるアプリケーションをサポートしても良いし、様々なアプリケーションに対する異なるレベルのアクセスが許容されても良いし、それらメモリ３１０に記憶された異なる常駐アプリケーション３３６を有しても良い。様々な実施形態において、アプリケーション３３６は、例えば、新しくリリースされたバージョンが利用可能になる、及び／又は、新しいサービスに対するユーザアクセス及び／又は予約のような、基準となる時間の進行に基づいて、アップデートされ及び／又はＭＮ１１０にダウンロードされる。様々な実施形態に従って、ＭＮ１１０は、第１の無線リンク上での第１のアプリケーション、例えば、アプリケーション１（３３８）の処理をサポートし、一方、同時に、第２の無線リンク上での第２のアプリケーション、例えば、アプリケーション２（３４０）の処理をサポートする。各アプリケーションは、ＭＮに割り当てられた異なるアドレス、又は、同じアドレスであるが異なるアプリケーション識別情報、例えば、パケットヘッダに収容されるアプリケーション識別子を用いる。
【００１９】
メモリ３１０は、また、方法及び／又はデータ構造を遂行するためにアクセスされ用いられても良いユーザ／機器セッション／リソース情報３３４を含んでも良い。情報３３４は、各セットの情報が無線リンクに対応する、複数セットのＩＰアドレス／情報（ＩＰアドレス／情報１（１４０），ＩＰアドレス／情報２（１４２））、及び複数セットのアプリケーションパケット（アプリケーション１のパケット３５０，アプリケーション２のパケット３５２）を含む。ＩＰアドレス／情報１（１４０）は、第１の無線リンクのＩＰアドレス３４２及び任意に第１の無線リンクのＩＤ情報３４４を含む。ＩＰアドレス／情報２（１４４）は、第２の無線リンクのＩＰアドレス３４６及び任意に第２の無線リンクのＩＤ情報３４８を含む。幾つかの実施形態において、第１の無線リンクのＩＰアドレス情報は、第２の無線リンクＩＰアドレス情報３４６とは異なるので、アプリケーション１のパケット（３５０）は、第１の無線リンクを用いる該アプリケーション１のルーティングに関連付けられ、アプリケーション２のパケット（３５２）は、第２の無線リンクを用いる該アプリケーション２のルーティングに関連付けられる。そのような一つの実施形態において、ＭＮ１１０は、複数のＩＰアドレスを割り当てられたものであっても良い。他の実施形態において、ＭＮ１１０に割り当てられた第１の無線リンクのＩＰアドレス３４２及び第２の無線リンクＩＰアドレス３４６は、同じであっても良く、アプリケーション１のパケット３５０のために用いられるルーティング及び無線リンクを、アプリケーション２のパケット３５２のために用いられるルーティング及び無線リンクから区別するために、付加的な識別情報３４４，３４８が含まれる。
【００２０】
アプリケーション１のパケット３５０は、図１のＢＳ１０６中のアプリケーション１のパケット１２８に対応しても良いし、一方、アプリケーション２のパケット３５２は、ＢＳ１０６中のアプリケーション２のパケット１３０に対応しても良い。図１のアプリケーション１のルーティングシグナリング１２４は、ＩＰアドレス／情報１（１４０）を用いるシグナリングに対応しても良いし、一方、アプリケーション２のルーティングシグナリング１２６は、ＩＰアドレス／情報２（１４２）を用いるシグナリングに対応しても良い。
【００２１】
様々な実施形態に従って、異なる基地局及び／又はセクタは、異なる周波数バンドを用いても良い。図４の線図４００は、三つの異なる隣接する周波数バンドＦ１（４０２），Ｆ２（４０４），Ｆ３（４０６）を示す。各周波数バンドは、それぞれ、キャリア周波数Ｃ１（４０８），Ｃ２（４１０），Ｃ３（４１２）の周りに集中しており、各周波数バンドは、複数のトーン、例えば、シンボル情報の通信のために用いられる一様に間隔を空けられた複数の周波数に分割されている。モバイルノードは、単一の受信機を用いて、チューナーを通して複数の周波数バンドを通過させ、そして、一つ以上の周波数サブバンド内の異なるトーンに対応する信号を再生するために、ＦＦＴを実行することができる。異なる周波数バンドを用いる送信機の間にタイミング及び周波数同期が存在する場合、例えば、同期された複数のセクタを含む幾つかの基地局実装の場合に、モバイルノードは、該ＭＮ中の単一のｔｘ／ｒｘ（送信／受信）処理チェーンを用いて、異なる周波数バンドに対応する異なるネットワーク接続ポイントに対応する情報を容易に再生することができる。
【００２２】
様々な実施形態の一つの特徴に従って、モバイルノードは、異なる複数のネットワーク接続ポイントとの複数の無線通信リンクを保持し、ここで、一つのネットワーク接続ポイントは、例えば、一つの特定の位置において一つの特定のキャリア周波数を用いて通信をサポートするために用いられる、特定のモジュールに対応しても良い。多くの場合、異なるキャリア周波数に対応するパケットは、異なるモジュール、例えば、フィルタ又は他の回路、を通して転送され、それは、同じＢＳ又はセクタに位置する他のキャリア周波数に対応するモジュールから独立した接続ポイントとして働くことができる。それゆえ、マルチキャリアをサポートする単一のセクタ又はセルは、異なるキャリアを用いて、移動体に、異なるネットワーク接続ポイントに対応する異なる周波数バンドに対応する複数の独立した通信リンクを提供しても良い。しかしながら、該移動体は、また、異なるセクタ又はセルに位置する異なるネットワーク接続ポイントとの複数の通信リンクを持つこともできる。そのような場合の一つが図５に示される。
【００２３】
図５の典型的なシステム５００は、エンドノード５０２を含み、それは、例えば、パケットをモバイルノード５１２宛てにするアプリケーションを起動するモバイルノード又はサーバであっても良い。エンドノード５０２及びモバイルノード５１２は、例えばルータでも良い第１のコア（core）ノードＣＮ１（５０４）、例えばモバイルＩＰホームエージェントでも良い第２のコアノードＣＮ２（５０６）、並びに第１及び第２の基地局５０８，５１０を含む通信ネットワークにより互いに接続される。第１及び第２の基地局５０８，５１０は、それぞれ、異なる、例えば、隣接する周波数バンドＦ１，Ｆ２を操作する。エンドノード５０２は、ＭＮ５１２に向けたＩＰパケット５２０を、モバイルノード５１２のホームアドレスへ宛てる。ルータ５０４は、エンドノード５０２により送信されたパケット中のあて先アドレスとして、ＭＮのＨｏＡ（ホームアドレス）を用いて指示されて向けられたＭＮへパケットをフォワードする責務を持つＨＡノード５０６へ、該パケットをフォワードする。ＭＮ５１２に向けたパケット５２２は、ＣＮ１（５０４）からＨＡ５０６へ通信される。様々な実施形態に従って、ＨＡは、ＭＮ５１２へパケットをフォワードするために使用可能な、ＭＮ５１２に関連する複数のアドレスを含む。ＨＡ５０６は、いずれの通信無線通信リンク５０９，５１１が、特定の時点において、より良い品質及び／又はより高いバンド幅を有するかに依って、いずれのフォワーディングアドレス（例えば、ＭＮ５１２に対応する複数の気付けアドレス（ＣｏＡ）のどの一つ）を用いるべきか判定する。これらリンクが無線であり、時間を越えて変動し得る信号干渉及び他のチャネル状態の変化を受けやすいとすれば、基地局５０８，５１０は、それぞれ、時々、例えば、周期的な間隔で又はリンクステータスの変化が検出された場合に、リンク品質情報（５３３，５３３´）をＨＡ５０６へ送る。幾つかの実施形態において、ＨＡは、受信リンク情報に基づいて、所定の時点において、ＭＮへのパケットのフォワードのために、二つの利用可能なアドレスの間で、いずれを使用すべきか選択する。それゆえ、同じ送信機及び／又はアプリケーションから来るパケットは、ＭＮ５１２への配送のための異なる周波数バンドに対応する異なる基地局、セクタ及び／又はネットワーク接続ポイントへ向けられても良い。他の実施形態において、前に議論されたように、異なるアプリケーションは、ＭＮ５１２への異なるアプリケーションに対応するパケットの配送のために、異なるルーティング及び異なる無線リンク５０９，５１１の使用をもたらす異なるアドレスを用いても良い。リンク状態の変化として、ＨＡ５０６は、それらアドレスのうちで前後に切り替えても良く、そして、それゆえ、それらリンクは、所定の時点で、ＭＮへパケットをフォワードするために用いられる。実施形態に従って、ＨＡ５０６が、同時に存在する、ＭＮ５１２へパケットを配送するために用いられる、複数のリンクうちで切り替えを行う場合、異なるリンク上を同じパケットの複数のコピーを送り又はパケットを複製する必要はないし、また、複数の異なるネットワーク接続ポイント、例えば、配送のための基地局、に対して同じパケットを送信する必要もない。パケット５２４は、リンク５０９に対応する一つのＭＮアドレス、例えば、第１の気付けアドレスへ向けられたパケットを表し、一方、パケット５２４´は、リンク５１１に対応するもう一つののＭＮアドレス、例えば、第２の気付けアドレスへ向けられたパケットを表す。パケット５２６は、ＢＳ１（５０８）からＭＮ５１２へ送られたパケットであり、一方、パケット５２６´は、ＢＳ２（５１０）からＭＮ５１２へ送られたパケットである。
【００２４】
典型的な文脈に記述されたように、ここで、リンク５０９又は５１１へのパケットを導く責務を持つコアノード５０６は、ホームエージェントノードであるが、他の実施形態が可能であり、コアノード５０６は、ルータ又は他の機器として実装されても良い。
【００２５】
図６は、様々な実施形態に従った典型的な通信方法のフローチャート６００の図である。ステップ６０２において、操作が開始し、ここで、典型的なネットワークノード、例えば、ホームエージェントノードが、電源投入され、また、初期化される。操作は、ステップ６０２からステップ６０４へ進む。様々な実施形態において、操作は、また、ステップ６０２から、ステップ６１０，６１２，６１４及び６１６の一つ以上に進む。ステップ６１０において、ネットワークノードは、無線端末に対応する複数の気付けアドレス（ＣｏＡ）及び複数の共有気付けアドレス（ＣＣｏＡ）の少なくとも一つを記憶する。ステップ６１２において、ネットワークノードは、複数同時に保持された無線通信リンクに対応するリンク品質情報を受信する。ステップ６１４において、ネットワークノードは、接続ポイント負荷情報を受信する。ステップ６１６において、ネットワークノードは、リンク干渉情報を受信する。
【００２６】
ステップ６０４において、ネットワークノードは、無線端末に向けられたパケットを受信するように操作される。操作は、ステップ６０４からステップ６０６へ進む。ステップ６０６において、ネットワークノードは、受信パケットのルーティングに用いるために、複数同時に保持された無線端末とのＯＦＤＭ無線通信リンクの一つを選択するように操作される。様々な実施形態において、ステップ６０６は、サブステップ６１８，６２０，６２２，６２４，６２６及び６２８の一つ以上を含む。サブステップ６１８において、ネットワークノードは、複数同時に保持されたＯＦＤＭ無線通信リンクから選択するために、配送されるパケットに対応するアプリケーションについてのアプリケーション情報を与えるインジケータを用いる。サブステップ６２０において、ネットワークノードは、複数同時に保持されたＯＦＤＭ無線通信リンクからの選択において、気付けアドレス情報及び／又は共有気付けアドレス情報を用いる。サブステップ６２２において、ネットワークノードは、複数同時に保持されたＯＦＤＭ無線通信リンクからの選択において、アプリケーション要求に関係する情報を用いる。サブステップ６２４において、ネットワークノードは、複数同時に保持されたＯＦＤＭ無線通信リンクからの選択において、受信されたリンク品質情報を用いる。サブステップ６２６において、ネットワークノードは、複数同時に保持されたＯＦＤＭ無線通信リンクからの選択において、ネットワーク接続ポイント負荷情報を用いる。サブステップ６２８において、ネットワークノードは、複数同時に保持されたＯＦＤＭ無線通信リンクからの選択において、受信されたリンク干渉情報を用いる。操作は、ステップ６０６からステップ６０８へ進む。ステップ６０８において、ネットワークノードは、選択されたＯＦＤＭ無線リンク上での無線端末への配送のために、選択されたＯＦＤＭ無線リンクに対応する接続ポイントへパケットを通信するよう操作される。
【００２７】
様々な実施形態において、同時に保持されたＯＦＤＭ無線通信リンクの少なくとも一つは、双方向リンクである。幾つかの実施形態において、同時に保持されたＯＦＤＭ無線通信リンクの少なくとも二つは、双方向リンクである。幾つかの実施形態において、同時に保持されたＯＦＤＭ無線通信リンクの少なくとも一つは、双方向通信リンクであり、同時に保持されたＯＦＤＭ無線通信リンクの少なくとも一つは、片方向無線通信リンク、例えば、ダウンリンクブロードキャストリンクである。
【００２８】
幾つかの実施形態において、複数同時に保持されたＯＦＤＭ通信リンクは、第１のキャリア周波数に対応する第１のＯＦＤＭ通信リンク及び第２のキャリア周波数に対応する第２のＯＦＤＭ通信リンクを含み、該第１及び第２のキャリア周波数は、該無線端末により受信及び処理されることが可能である周波数バンド内にあり、そのために、該無線端末が単一の受信機を用いて両キャリア周波数を同時に受信することを許容する。
【００２９】
様々な実施形態において、アプリケーション情報は、情報のタイプを示す。幾つかのそのような実施形態において、一つのアプリケーションのタイプは、音声アプリケーション、データアプリケーション、及びブロードキャストアプリケーションのうちの一つに対応する。幾つかの実施形態において、アプリケーション要求に関係する情報は、パケット配送レイテンシー、バンド幅要求、データレート、及びデータ量のうちの少なくとも一つを含む。
【００３０】
ネットワークノードがホームエージェントノードである、様々な実施形態において、ステップ６１０が実行される。幾つかのそのような実施形態においては、異なる気付けアドレス及び／又は異なる共有気付けアドレスは、複数のリンクの異なるものに対応する。
【００３１】
図７は、無線端末を操作する典型的な方法のフローチャート７００である。ステップ７０２において、典型的な方法の操作が開始し、ここで、典型的な無線端末が、電源投入され、また、初期化される。操作は、ステップ７０２からステップ７０４，７０６，７０８及び７１２へ進む。いくつかの実施形態においては、操作はまた、開始ステップ７０２から、ステップ７１８，７２０，７２２及び７２４のうちの一つへ進む。
【００３２】
ステップ７０４において、無線端末は、第１及び第２のネットワーク接続ポイントそれぞれとの第１及び第２のＯＦＤＭ通信リンクを同時に保持する。ステップ７０６において、無線端末は、第１のＯＦＤＭ通信リンク上の通信信号に用いられるトーンを受信する。該トーンは、第１のアプリケーションに対応するパケットを通信する第１の通信リンク上の情報の通信に用いられる。ステップ７０８において、無線端末は、第２のＯＦＤＭ通信リンク上の通信信号に用いられるトーンを受信する。該トーンは、第２のアプリケーションに対応するパケットを通信する第２の通信リンク上の情報の通信に用いられる。この典型的な実施形態において、第１の通信リンクは双方向通信リンクであり、ステップ７１２において、無線端末は、第１のＯＦＤＭ通信リンク上に、第１のアプリケーションに対応するパケットを送信する。幾つかの実施形態、例えば、第２の通信リンクが双方向通信リンクである、ある実施形態において、ステップ７１８が実行される。ステップ７１８において、無線端末は、第２のＯＦＤＭ通信リンク上に、第２のアプリケーションに対応するパケットを送信する。第２の通信リンクが、片方向リンク、例えば、ビデオ及び／又はオーディオブロードキャストのようなブロードキャストのために用いられるダウンリンクリンクである、幾つかの他の実施形態においては、ステップ７１８は実行されない。
【００３３】
操作は、ステップ７０６及び７０８からステップ７１０へ進む。ステップ７１０において、無線端末は、第１及び第２の通信リンクに対応する受信トーンからパケットを再生する。ステップ７１０は、サブステップ７１４及び７１６を含む。サブステップ７１４において、無線端末は、第１の通信リンクに対応する受信トーンからパケットを再生する。サブステップ７１６において、無線端末は、第２の通信リンクに対応する受信トーンからパケットを再生する。
【００３４】
幾つかの実施形態において、無線端末は、ステップ７２０を実行し、保持されている第１及び第２の通信リンクと同時に、第３のネットワーク接続ポイントとの第３の通信リンクを保持する。そのような一つの実施形態において、ステップ７２２及び７２４のうちの少なくとも一つが実行される。ステップ７２２において、無線端末は、第３のＯＦＤＭ通信リンク上で、第３のアプリケーションに対応するパケットを受信する。ステップ７２４において、無線端末は、第３のＯＦＤＭ通信リンク上に、第３のアプリケーションに対応するパケットを送信する。
【００３５】
幾つかの実施形態において、第１及び第２のＯＦＤＭ通信リンクは、二つの異なる基地局に対するものである。幾つかの実施形態においては、第１及び第２のＯＦＤＭリンクは、一つの基地局の同じセクタに対するものであるが、異なるトーンブロックを用いるものである。幾つかの実施形態において、第１及び第２のＯＦＤＭリンクは、同じ基地局の異なるセクタに対するものである。幾つかの実施形態において、第１のアプリケーションに対応するパケットを再生することは、第１の接続ポイントからの受信ＯＦＤＭダウンリンク信号を処理することを含み、第２のアプリケーションに対応するパケットを再生することは、第２の接続ポイントからのＯＦＤＭダウンリンク信号を処理することを含む。
【００３６】
様々な実施形態において、第１のＯＦＤＭ通信リンクは、双方向通信リンクであり、また、第２の通信リンクは、双方向通信リンクである。例えば、一つの典型的な実施形態において、第１のアプリケーションが、双方向音声アプリケーションに対応し、第２のアプリケーションが、双方向データアプリケーションに対応する。
【００３７】
幾つかの実施形態では、第１のＯＦＤＭ通信リンクは、双方向通信リンクであり、第２の通信リンクは、片方向通信リンクである。幾つかのそのような実施形態では、第１のアプリケーションは、双方向音声アプリケーション及び双方向データアプリケーションのうちの一つであり、第２のアプリケーションは、ダウンリンクブロードキャストアプリケーション、例えば、デジタルブロードキャストビデオ及び／又はデジタルブロードキャストオーディオアプリケーションのうちの一つである。
【００３８】
無線端末により同時に保持されている三つの無線リンクを含む、様々な実施形態において、第１及び第３の通信リンクは、双方向通信リンクであり、第２の通信リンクは、片方向通信リンクである。幾つかのそのような実施形態において、第１のアプリケーションは、データアプリケーションであり、第２のアプリケーションは、ダウンリンクビデオブロードキャストアプリケーションであり、第３のアプリケーションは、音声アプリケーションである。他のそのような実施形態において、第１のアプリケーションは、データアプリケーションであり、第２のアプリケーションは、ダウンリンクオーディオブロードキャストアプリケーションであり、第３のアプリケーションは、音声アプリケーションである。
【００３９】
無線端末により同時に保持されている三つの無線リンクを含む、幾つかの実施形態において、三つの無線通信リンクの各々は、ＯＦＤＭ通信リンクである。無線端末により同時に保持されている三つの無線リンクを含む、幾つかの実施形態において、第１及び第２の通信リンクは、ＯＦＤＭ通信リンクであり、第３の無線通信リンクは、ＣＤＭＡ通信リンクである。幾つかのそのような実施形態において、第１のアプリケーションに対応するパケットを再生することは、第１の接続ポイントからの受信ＯＦＤＭダウンリンク信号を処理することを含み、第２のアプリケーションに対応するパケットを再生することは、第２の接続ポイントからのＯＦＤＭダウンリンク信号を処理することを含み、第３のアプリケーションに対応するパケットを受信することは、第３の接続ポイントからのＣＤＭＡダウンリンク信号を処理することを含む。
【００４０】
幾つかの実施形態において、第１及び第２のネットワーク接続ポイントとの第１及び第２の通信リンクを同時に保持することは、二つの異なるＩＰアドレス、第１のアプリケーションに関連する第１のＩＰアドレス及び第２のアプリケーションに関連する第２のＩＰアドレス、を保持することを含む。幾つかの実施形態において、双方向通信リンクである、ネットワーク接続ポイントとの通信リンクを保持することは、次のうちの少なくとも幾つか、すなわち、例えば受信ビーコン及び／又はパイロット信号に基づいて、複数の可能なネットワーク接続ポイントから一つのネットワーク接続ポイントを識別すること、一つ又は複数の無線端末識別子が割り当てられた基地局を受信し記憶すること、例えば無線端末に排他的に与えられた制御チャネルセグメントを用いて、アップリンク制御チャネルレポートを生成し送信すること、接続ポイントからの割り当て信号を受信し評価すること、接続ポイント周波数に対応する受信機／送信機ペアをチューニングすること、閉ループタイミング調整を実行すること、及び閉ループ電力調整を実行することのうちの少なくとも幾つかを含む。幾つかの実施形態において、片方向通信リンクである、ネットワーク接続ポイントとの通信リンクを保持することは、次のうちの少なくとも幾つか、すなわち、用いられたダウンリンクキャリア周波数を識別すること、接続ポイントに対応するダウンリンクキャリアを受信するように受信機をチューニングすること、参照信号、例えば、ビーコン信号に関して同期すること、受信信号が再生できるように同期するためのタイミング調整、例えば、ＯＦＤＭシンボルのタイムサイクリックプリフィクス内での同期及び同期の保持、を実行することのうちの少なくとも幾つかを含む。
【００４１】
幾つかの実施形態において、第１及び第２のＯＦＤＭリンクは、同じ基地局に対するものであるが、異なる第１及び第２のキャリア周波数を用いるものである。幾つかのそのような実施形態において、第１の通信リンクに対応するトーンを受信し、及び、第２の通信リンクに対応するトーンを受信するステップは、単一のアナログ受信機フィルタを通して、第１の通信リンクに対応するトーン及び第２の通信リンクに対応するトーンを含み、第１及び第２のＯＦＤＭリンクに対応するキャリア周波数を含む受信信号を通過させることを含み、第１及び第２のＯＦＤＭ通信リンクに対応する受信トーンからパケットを再生するステップは、アナログ受信機フィルタにより生成される濾過信号をデジタイズすること、及び第１のアプリケーションパケットを再生するために第１のデジタル受信機チェーンを用いて該デジタイズ信号中のトーンを処理すること、及び第２のアプリケーションパケットを再生するために第２のデジタル受信機チェーンを用いて該デジタイズ信号中のトーンを処理することを含む。
【００４２】
図８は、様々な実施形態において用いられる、典型的なネットワークノード８００、例えば、ホームエージェントノードの図である。典型的なネットワークノード８００は、例えば、図１の典型的なネットワークノード１１２であっても良い。典型的なネットワークノード８００は、ネットワークインタフェース８０２、プロセッサ８０４、及びそれら様々なエレメントがデータ及び情報を交換しても良いバス８０８を介して互いに接続されたメモリ８０６を含む。
【００４３】
ネットワークインタフェース８０２は、ネットワークノード８００を、他のネットワークノード、例えば、ルータ、無線端末のための接続ポイントとして働く基地局、ＡＡＡノード、アプリケーションサーバノードなど、及び／又はインターネットへ接続する。ネットワークインタフェース８０２は、受信機モジュール８１０及び送信機モジュール８１２を含む。受信機モジュール８１０は、他のネットワークノードからのパケット、無線端末に対応するアドレスを含む受信パケットを受信する。送信機モジュール８１２は、選択されたＯＦＤＭ無線リンク上での、パケットが向けれらた無線端末への配送のために、接続ポイントへパケットを通信し、例えば、あるパケットは、選択されたＯＦＤＭリンクに対応する接続ポイントへ通信される。
【００４４】
メモリ８０６は、ルーチン８１４及びデータ／情報８１６を含む。プロセッサ８０４、例えば、ＣＰＵは、ルーチン８１４を実行し、ネットワークノード８００の操作及び方法のステップの遂行を制御するために、メモリ８０６中のデータ／情報８１６を用いる。ルーチン８１４は、通信ルーチン８１８、ルーティング制御モジュール８２０、リンク品質情報モジュール８２２、接続ポイント負荷情報モジュール８２４、及びリンク干渉モジュール８２６を含む。通信ルーチン８１８は、ネットワークノード８００により用いられる様々なプロトコルを遂行する。
【００４５】
ルーティング制御モジュール８２０は、例えばあるアプリケーションに対応する、受信パケットを、無線端末に対してルーティングする際に、無線端末との複数同時に保持されるＯＦＤＭ無線通信リンクのうちの一つを選択するために用いられる。ルーティング制御モジュール８２０は、例えば同じ無線端末に対応するが、同時に操作されても良い異なるアプリケーションに対応する、異なるパケット又は異なるパケットのセットのために、独立した選択操作を実行可能である。ルーティング制御モジュール８２０は、アプリケーション情報インジケータ処理モジュール８２８及びアプリケーション要求判定モジュール８３０を含む。アプリケーション情報インジケータ処理モジュール８２８は、複数同時に保持されるＯＦＤＭ無線通信リンクからの選択において用いられる、受信パケットに含まれる、配送されるパケットに対応するアプリケーションについてのアプリケーション情報を提供するインジケータを用いる。幾つかの実施形態において、アプリケーション情報は、アプリケーションのタイプを示す。幾つかのそのような実施形態において、アプリケーションのタイプは、音声アプリケーション、データアプリケーション、及びブロードキャストアプリケーションのうちの一つを含む。アプリケーション要求判定モジュール８３０は、パケットのルーティングにおいて用いるための複数の利用可能なリンクから選択する場合に考慮されるアプリケーション要求を判定する。モジュール８３０により用いられるアプリケーション要求に関係する情報は、パケット配送レイテンシー、バンド幅要求、データレート、及びデータ量のうちの少なくとも一つを含む。
【００４６】
リンク品質情報モジュール８２２は、複数同時に保持されるリンクのうちの少なくとも幾つかの品質についての情報を提供するリンク品質情報を受信する。リンク品質モジュール８２２からの情報は、複数同時に保持されるリンクからの選択に用いられるために、ルーティング制御モジュール８２０に対して利用可能である。
【００４７】
接続ポイント負荷情報モジュール８２４は、接続ポイント負荷情報を受信し、それは、ルーティング制御モジュール８２０に対して利用可能にされる。ルーティング制御モジュール８２０は、ネットワーク接続ポイント負荷情報の機能として、複数同時に保持される無線通信リンクのうちの一つを選択する。
【００４８】
リンク干渉モジュール８２６は、リンク干渉情報を受信し、それは、ルーティング制御モジュール８２０に対して利用可能にされる。ルーティング制御モジュール８２０は、受信リンク干渉の機能として、複数同時に保持される無線通信リンクのうちの一つを選択する。
【００４９】
データ／情報８１６は、複数の無線端末情報のセット（ＷＴ１情報８３２，...，ＷＴＮの情報８３４）を含んでいる。ＷＴ１情報８３２は、ＷＴ１に対応する複数の気付けアドレス（気付けアドレス１（８５２），...，気付けアドレスＮ（８５４））及びＷＴ１に対応する複数の共有気付けアドレス（共有気付けアドレス１（８６０），...，共有気付けアドレスＮ（８６２））を含んでいる。ＷＴ１に対応してメモリ８０６に格納された、異なる気付けアドレス又は異なる共有気付けアドレスは、複数の無線リンクのうちの異なるものに対応する。ＷＴ１情報８３２は、（気付けアドレス１（８５２），...，気付けアドレスＮ（８５４），共有気付けアドレス１（８６０），...，共有気付けアドレスＮ（８６２））にそれぞれ対応する（リンク１の識別情報８５６，...，リンクＮの識別情報８５８，リンク１の識別情報８６４，...，リンクＮの識別情報８６６）を含む。
【００５０】
データ／情報８１６は、また、受信パケット情報８４０、受信リンク品質情報８４２、受信接続ポイント負荷情報８４４、受信リンク干渉情報８４６、選択されたＯＦＤＭ無線リンク識別情報８４８、対応する接続ポイント情報８５０、送信パケット情報８３８、及びシステムデータ／情報８３６を含む。受信パケット情報８４０は、ユーザデータ８６７、無線端末アドレス情報８６８、及びアプリケーションインジケータ８７０を含む。受信リンク品質情報８４２は、例えば、受信ＳＮ比レポート情報を含む。受信接続ポイント負荷情報８４４は、例えば、基地局セクタ接続ポイントに対応する同時ユーザ数及び基地局のセクタ及び／又はキャリアに対応するエアーリンクリソース負荷情報を含む。受信リンク干渉情報８４６は、例えば、ビーコン比レポートから得られる情報のような、測定及び／又は評価された干渉情報を含む。選択されたＯＦＤＭ無線リンク識別情報８４８は、ルーティング制御モジュール８２０により実行される選択を識別する情報を含む。対応する接続ポイント情報８５０は、ＯＦＤＭ無線リンクＩＤ（８４８）に対応する接続ポイントに関係する情報、例えば、アドレシング情報、を含む。送信パケット情報８３８は、接続ポイントへ送信されるパケット中に含まれるべき情報を含むので、ユーザデータは、選択された無線リンク上を接続ポイントから向けられた無線端末へ送信されることができる。送信パケット情報８３８は、ユーザデータ／情報８７１及び無線端末アドレス情報８７２を含む。
【００５１】
システムデータ／情報８３６は、該システムにおける様々な基地局接続ポイントに対応する情報を含む。システム情報８３６は、基地局セル、セクタ、及び／又はキャリア情報を含む。システムデータ／情報８３６は、また、様々なアプリケーションソース、例えば、様々なアプリケーションサーバノードに対応するデータ／情報を含む。
【００５２】
様々な実施形態において、一つの無線端末に対応する複数同時に保持されるＯＦＤＭ無線リンクのうちの少なくとも一つは、双方向リンクである。幾つかの実施形態において、しばしば、一つの無線端末に対応する複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、該第１及び第２のキャリアの両方は、該無線端末により受信及び処理されることが可能である周波数バンド内にあり、そのために、該無線端末が単一の受信機を用いて両キャリア周波数を同時に受信することを許容する。例えば、該周波数バンドは、図４のＦ１，Ｆ２及びＦ３を合成したものであっても良く、また、第１及び第２のキャリアは、図４のＣ１，Ｃ２及びＣ３のうちの二つであっても良い。
【００５３】
図９は、様々な実施形態において用いられる、典型的な無線端末９００、例えば、モバイルノードの図である。典型的な無線端末９００は、例えば、図１の典型的なＭＮ１１０であっても良い。典型的な無線端末９００は、受信機モジュール９０２、送信機モジュール９０４、プロセッサ９０６、ユーザI／O機器９０８、及びそれら様々なエレメントがデータ及び情報を交換しても良いバス９１２を介して互いに接続されたメモリ９１０を含む。メモリ９１０は、ルーチン９５０及びデータ／情報９５２を含む。プロセッサ９０６、例えば、ＣＰＵは、ルーチン９５０を実行し、無線端末９００の操作及び方法の遂行を制御するために、メモリ９１０中のデータ／情報９５２を用いる。ユーザI／O機器９０８は、例えば、マイクロフォン、キーボード、キーパッド、カメラ、スイッチ、スピーカ及び／又はディスプレイを含む。ユーザI／O機器９０８は、無線端末９００のユーザが、データ／情報を入力し、出力データ／情報にアクセスし、及び無線端末９００の操作のうちの少なくとも幾つかを制御すること、例えば、通信セッションを開始し、ダウンリンクブロードキャストプログラムを選択することなどを、許容する。
【００５４】
受信機モジュール９０２は、複数の受信機チェーンモジュール（受信機チェーン１（９１４），受信機チェーン２（９１６），...，受信機チェーンｎ（９１８））を含む。受信機チェーン１（９１４）は、デコーダモジュール９２０を含み、また、受信機チェーン１（９１４）は、ダウンリンク周波数（ｆｃＲ１）９２２にチューニングされる。受信機チェーン２（９１６）は、デコーダモジュール９２４を含み、また、受信機チェーン２（９１６）は、ダウンリンクキャリア周波数（ｆｃＲ２）９２６にチューニングされる。受信機チェーンｎ（９１８）は、デコーダモジュール９２８を含み、また、受信機チェーンｎ（９１８）は、ダウンリンクキャリア周波数（ｆｃＲｎ）９３０にチューニングされる。受信機チェーン１（９１４）は、受信アンテナ９１５に接続され、それを介して、無線端末は、第１の無線通信リンク上で、例えば第１のアプリケーションに対応するパケットを伝達するトーンを含む、ダウンリンク信号を受信する。受信機チェーン２（９１６）は、受信アンテナ９１７に接続され、それを介して、無線端末は、第２の無線通信リンク上で、例えば第２のアプリケーションに対応するパケットを伝達するトーンを含む、ダウンリンク信号を受信する。受信機チェーンｎ（９１８）は、受信アンテナ９１９に接続され、それを介して、無線端末は、第ｎの無線通信リンク上で、例えば第ｎのアプリケーションに対応するパケットを伝達するトーンを含む、ダウンリンク信号を受信する。様々な実施形態において、受信機チェーンのうちの少なくとも二つ、例えば、受信機チェーン１（９１４）及び受信機チェーン２（９１６）は、ＯＦＤＭ受信機チェーンである。そのような一つの実施形態において、受信機モジュール９０２は、第１のＯＦＤＭ無線通信リンク上の信号の通信に用いられるトーン及び第２のＯＦＤＭ無線通信リンク上の信号の通信に用いられるトーンを同時に受信することが可能であり、そして、しばしば行う。該トーンは、第１のアプリケーションに対応するパケットを通信する第１のＯＦＤＭ通信リンク上の信号を通信するために用いられ、該トーンは、第２のアプリケーションに対応するパケットを通信する第２のＯＦＤＭ通信リンク上の信号を通信するために用いられる。幾つかの実施形態において、複数の受信機チェーンのために同じアンテナが用いられる。
【００５５】
図１０は、無線端末９００の代わりに、無線端末９００の様々な実施形態において用いられる、代替の典型的な受信機モジュール９０２´の図である。典型的な受信機モジュール９０２´は、アナログ受信機フィルタ１００２、アナログ・デジタルコンバータ１００４、及び複数のデジタル信号処理モジュール（第１のデジタル信号処理モジュール１００６，第２のデジタル信号処理モジュール１００８，...，第ｎのデジタル信号処理モジュール１０１０）を含む。アナログ受信機フィルタ１００２は、受信アンテナ１０１２に接続され、それを介して、無線端末はダウンリンク信号を受信する。幾つかのそのような典型的な実施形態において、第１及び第２の無線通信リンクは、無線端末９００と同じ基地局との間のものであるが、異なる第１及び第２のキャリア周波数を用いるものであり、単一のアナログ受信機フィルタ１００２は、第１及び第２の通信リンクに対応するトーンを通過させ、アナログ・デジタルコンバータ１００４は、アナログ受信機フィルタにより生成された濾過信号をデジタイズし、第１のデジタル信号処理モジュール１００６は、第１のアプリケーションパケットを再生するために、第１のデジタル受信機チェーンを用いて、第１の通信リンクに対応する濾過信号中のトーンを処理し、第２のデジタル信号処理モジュール１００８は、第２のアプリケーションパケットを再生するために、第２のデジタル受信機チェーンを用いて、第２の通信リンクに対応する濾過信号中のトーンを処理する。第Ｎのデジタル信号処理モジュール１０１０は、第ｎの通信リンクを通信された、他のアプリケーション、例えば、第３のアプリケーションに対応するパケットを再生するために用いられる。
【００５６】
図９に戻って、送信機モジュール９０４は、複数の送信機チェーンモジュール（送信機チェーン１のモジュール９３２，送信機チェーン２のモジュール９３４，...，送信機チェーンＮのモジュール９３６）を含む。送信機チェーン１（９３２）は、エンコーダモジュール９３８を含み、また、送信機チェーン１は、アップリンクキャリア周波数（ｆｃＴ１）９４０にチューニングされる。送信機チェーン２（９３４）は、エンコーダモジュール９４２を含み、また、送信機チェーン２（９３４）は、アップリンクキャリア周波数（ｆｃＴ２）９４４にチューニングされる。送信機チェーンＮ（９３６）は、エンコーダモジュール９４６を含み、また、送信機チェーンＮ（９３６）は、アップリンクキャリア周波数（ｆｃＴｎ）９４８にチューニングされる。送信機チェーン１（９３２）は、送信アンテナ９３３に接続され、それを介して、無線端末は、第１の無線通信リンク上に、例えば第１のアプリケーションに対応するパケットを伝達するトーンを含む、アップリンク信号を送信する。送信機チェーン２（９３４）は、送信アンテナ９３５に接続され、それを介して、無線端末は、第２の無線通信リンク上に、例えば第２のアプリケーションに対応するパケットを伝達するトーンを含む、アップリンク信号を送信する。送信機チェーンＮ（９３６）は、送信アンテナ９３７に接続され、それを介して、無線端末は、第ｎの無線通信リンク上に、例えば第ｎのアプリケーションに対応するパケットを伝達するトーンを含む、アップリンク信号を送信する。様々な実施形態において、複数の送信機チェーンのために同じアンテナが用いられる。幾つかの実施形態において、受信機モジュール９０２及び送信機モジュール９０４のために同じアンテナが用いられる。
【００５７】
ルーチン９５０は、通信ルーチン９５４及びパケットモジュール９５６を含む。通信ルーチン９５４は、基地局により用いられる様々な通信プロトコルを遂行し、受信機モジュール９０２、送信機モジュール９０４及びユーザI／Oインタフェース９０８の制御に関する様々な制御操作を実行する。パケットモジュール９５６は、無線端末９００により保持されている通信リンクに対応する受信トーン及び／又は信号からパケットを再生する。例えば、第１及び第２のＯＦＤＭ無線通信リンクが無線端末９００により保持されていると考えると、パケットモジュール９５６は、第１及び第２のＯＦＤＭ無線通信リンクに対応する受信トーンからそれぞれ第１及び第２のアプリケーションに対応するパケットを再生する。
【００５８】
データ／情報９５２は、無線端末により保持されている一つ以上のリンクに対応するリンク状態情報９５８を含む。リンク状態情報９５８は、（リンク１の状態情報９６０，リンク２の状態情報９６２，...，リンクｎの状態情報９６４）を含む。リンク状態情報は、異なるネットワーク接続ポイントとの複数の無線リンク、例えば、第１の基地局のネットワーク接続ポイントとの第１のＯＦＤＭ通信リンク及び第２の基地局のネットワーク接続ポイントとの第２のＯＦＤＭ通信リンク、を保持するために、無線端末９００により用いられる。例えば、第１及び第２のＯＦＤＭリンクは、二つの異なる基地局に対することが可能である。その代わりに、the第１及び第２のＯＦＤＭリンクは、一つの基地局の同じセクタに対するものであるが、異なるトーンブロックを用いるものであることが可能である。その代わりに、第１及び第２のＯＦＤＭリンクは、同じ基地局の異なるセクタに対することが可能である。リンク状態情報、例えばリンク状態１の情報９６０は、リンクに関連する情報、例えば、無線端末識別子情報、接続ポイント識別子情報、ダウンリンクキャリア情報、ダウンリンクトーンブロック情報、アップリンクキャリア情報、アップリンクトーンブロック情報、アドレシング／ルーティング情報、セッション情報、リンク品質情報、リンク干渉情報、ビーコン／パイロット情報、トーン情報、トーンホッピング情報など、を含む。
【００５９】
データ／情報９５２は、テキストデータ９６６、ビデオデータ９６８、音声データ９７０を含む。例えば、テキストデータ９６６は、データ通信セッションにおいて、双方向の第１のＯＦＤＭ無線通信リンク上で、ＷＴ９００と同等のノードとの間を通信されているデータであっても良いし、ビデオデータ９６６は、片方向の第２のＯＦＤＭ無線通信上で受信されたデータ、例えば、ダウンリンクビデオブロードキャスト情報を含んでも良いし、音声データ９７０は、音声通信セッション、例えば、ボイスオーバーＩＰ通信セッションをサポートしている、第３の双方向無線通信リンク、例えば、ＯＦＤＭ又はＣＤＭＡリンク上を通信されている情報を含んでも良い。
【００６０】
データ／情報９５２は、（第１の無線リンク、第２の無線リンク，．．，第ｎの無線リンク）にそれぞれ関連する、異なるアプリケーションに対応する異なるＩＰアドレス（アプリケーション１のＩＰアドレス情報９７２，アプリケーション２のＩＰアドレス情報９７４，...アプリケーションＮのＩＰアドレス情報９７６）を含む。
【００６１】
データ／情報９５２は、第１のアプリケーションの受信トーン信号情報９７８及び対応する第１のアプリケーションの再生パケット９８０、第２のアプリケーションの受信トーン信号情報９８２及び対応する第２のアプリケーションの再生パケット９８４、並び第Ｎのアプリケーションの受信信号情報９８６及び対応する第Ｎのアプリケーションの再生パケット９８８を含む。データ／情報９５２は、また、アプリケーション１の送信パケット情報９９０、アプリケーション２の送信パケット情報９９２、及びアプリケーションＮの送信パケット情報９９４を含む。アプリケーション２の送信パケット情報９９２は、様々な実施形態において示すための、点線により示されていることに注意する。同時に保持される一つ以上のＯＦＤＭ無線リンクが、ブロードキャストダウンリンクである場合に、送信される対応するアップリンクパケットはない。
【００６２】
図１１は、様々な実施形態に従った典型的なネットワークノード１１００の図である。典型的なネットワークノード１１００は、図６フローチャート６００の典型的な方法を実施するために用いられても良い。典型的なネットワークノード１１００は、例えば、図１ネットワークノード１１２であっても良い。典型的なネットワークノード１１００は、無線端末に向けられたパケットを受信するためのモジュール１１０４、受信パケットのルーティングに用いるために、複数同時に保持された無線端末とのＯＦＤＭ無線通信リンクの一つを選択するためのモジュール１１０６、及び選択されたＯＦＤＭ無線リンク上での無線端末への配送のために、選択されたＯＦＤＭリンクに対応する接続ポイントへパケットを通信するためのモジュール１１０８を含む。様々な実施形態において、ネットワークノード１１００は、無線端末に対応する複数の気付けアドレス及び複数の共有気付けアドレスの少なくとも一つを記憶するためのモジュール１１１０、複数同時に保持された無線通信リンクに対応するリンク品質情報を受信するためのモジュール１１１２、接続ポイント負荷情報を受信するためのモジュール１１１４、リンク干渉情報を受信するためのモジュール１１１６の一つ以上を含む。様々な実施形態において、受信パケットのルーティングに用いるために、複数同時に保持された無線端末とのＯＦＤＭ無線通信リンクの一つを選択するためのモジュール１１０６は、複数同時に保持されたＯＦＤＭ無線通信リンクから選択するために、配送されるパケットに対応するアプリケーションについてのアプリケーション情報を与えるインジケータを用いるためのモジュール１１１８、複数同時に保持されたＯＦＤＭ無線通信リンクからの選択において、気付けアドレス情報及び／又は共有気付けアドレス情報を用いるためのモジュール、複数同時に保持されたＯＦＤＭ無線通信リンクからの選択において、アプリケーション要求に関係する情報を用いるためのモジュール１１２２、複数同時に保持されたＯＦＤＭ無線通信リンクからの選択において、受信されたリンク品質情報を用いるためのモジュール１１２４、複数同時に保持されたＯＦＤＭ無線通信リンクからの選択において、ネットワーク接続ポイント負荷情報を用いるためのモジュール１１２６、及び複数同時に保持されたＯＦＤＭ無線通信リンクからの選択において、受信されたリンク干渉情報を用いるためのモジュール１１２８の一つ以上を含む。
【００６３】
図１２は、様々な実施形態に従った典型的な無線端末１２００、例えば、モバイルノード、の図である。典型的な無線端末１２００は、図７のフローチャート７００の典型的な方法を実施するために用いられても良い。典型的なＷＴ１２００は、例えば、図１のＭＮ１１０であっても良い。典型的な無線端末１２００は、様々な操作のための様々なモジュール（１２０４，１２０５，１２０６，１２０８，１２１０，１２１２，１２１４，１２１６，１２１８，１２２０，１２２２，１２２４，１２２６，１２２７，１２２８，１２３０，１２３０，１２３２，１２３４，１２３６）を含む。無線端末１２００は、第１及び第２のネットワーク接続ポイントとの第１及び第２のＯＦＤＭ通信リンクをそれぞれ同時に保持するためのモジュール１２０４、二つの異なるＩＰアドレスを保持するためのモジュール１２０５を含み、第１のＩＰアドレスは、第１のアプリケーションに対応し、第２のＩＰアドレスは、第２のアプリケーションに対応する。
【００６４】
第１及び第２のＯＦＤＭ通信リンクのダウンリンクに関して、無線端末１２００は、第１のＯＦＤＭ通信リンク上の通信信号に用いられるトーン（該トーンは、第１のアプリケーションに対応するパケットを通信する第１の通信リンク上の情報の通信に用いられる。）を受信するためのモジュール１２０６、第２のＯＦＤＭ通信リンク上の通信信号に用いられるトーン（該トーンは、第２のアプリケーションに対応するパケットを通信する第２の通信リンク上の情報の通信に用いられる。）を受信するためのモジュール１２０８、及び第１及び第２の通信リンクに対応する受信トーンからパケットを再生するためのモジュール１２１０を含む。パケットを再生するためのモジュール１２１０は、第１の接続ポイントからの受信ＯＦＤＭ ＤＬ信号を処理するためのモジュール１２３０を持つ、第１の通信リンクに対応する受信トーンからパケットを再生するためのモジュール１２１４、及び第２の接続ポイントからの受信ＯＦＤＭ ＤＬ信号を処理するためのモジュール１２３２を持つ、第２の通信リンクに対応する受信トーンからパケットを再生するためのモジュール１２１６を含む。幾つかの実施形態において、例えば、複数のＯＦＤＭ通信リンクに対応するダウンリンク信号を受信するために、無線端末が単一のアナログ受信機チェーンを用いる一つの実施形態において、無線端末は、単一のアナログフィルタを通して、第１及び第２のＯＦＤＭ通信リンクに対応するキャリア周波数を含む受信信号（該受信信号は、第１の通信リンクに対応するトーンと第２の通信リンクに対応するトーンを含む。）を通過させるためのモジュール１２２６、アナログ受信機フィルタにより生成された濾過信号をデジタイズするためのモジュール１２２７、及び第１のパケットを再生するために、第１のデジタル受信機チェーンを用いてデジタイズされた信号中のトーンを処理し、第２のパケットを再生するために、第２のデジタル受信機チェーンを用いてデジタイズされた信号中のトーンを処理するためのモジュール１２２８を含む。
【００６５】
第１及び第２のＯＦＤＭ通信リンクのアップリンクに関して、無線端末１２００は、第１のＯＦＤＭ通信リンク上に、第１のアプリケーションに対応するパケットを送信するためのモジュール１２１２、及び第２のＯＦＤＭ通信リンク上に、第２のアプリケーションに対応するパケットを送信するためのモジュール１２１８を含む。
【００６６】
典型的な無線端末１２００は、また、第１及び第２のＯＦＤＭ通信リンクが保持されるのと同時に、第３のネットワーク接続ポイントとの第３のＯＦＤＭ通信リンクを保持するためのモジュール１２２０を含む。無線端末１２００は、更に、第３のＯＦＤＭ通信リンク上で、第３のアプリケーションに対応するパケットを受信するためのモジュール１２２２、及び第３のＯＦＤＭ通信リンク上に、第３のアプリケーションに対応するパケットを送信するためのモジュール１２２４を含む。第３のアプリケーションに対応するパケットを受信するためのモジュール１２２２は、第３の接続ポイントからの受信ＯＦＤＭ ＤＬ信号を処理するためのモジュール１２３４、及び第３の接続ポイントからの受信ＣＤＭＡＤＬ信号を処理するためのモジュール１２３６を含む。
【００６７】
様々な実施形態の技術は、ソフトウェア、ハードウェア及び／又はソフトウェアとハードウェアとの組み合わせを用いて実装されても良い。様々な実施形態は、装置、例えば、モバイル端末のようなモバイルノードを含む無線端末、基地局、通信システム及びエレメントに向けられる。それは、また、方法、例えば、モバイルノード、基地局及び／又は通信システム例えばホストを、制御及び／又は操作する方法に向けられる。様々な実施形態は、また、機械読み取り可能な媒体、例えば、一つ以上の方法のステップを遂行するための機械を制御するための機械読み取り可能な命令を含む、ＲＯＭ、ＲＡＭ、ＣＤ、ハードディスクなどに向けられる。
【００６８】
様々な実施形態において、ここに記述されたノードは、一つ以上の方法、例えば、信号処理、メッセージ生成及び／又は送信ステップに対応するステップを実行するための一つ以上のモジュールを用いて実装される。それゆえ、幾つかの実施形態において、様々な特徴は、モジュールを用いて実装される。そのようなモジュールは、ソフトウェア、ハードウェア／又はソフトウェアとハードウェアとの組み合わせを用いて実装されても良い。上記方法又は方法ステップの多くは、機械、例えば、上記方法の全部又一部を例えば一つ以上のノードにおいて遂行するための付加的なハードウェアを伴う又は伴わない汎用コンピュータを制御するために、メモリ機器、例えば、ＲＡＭ、フロッピー（登録商標）ディスクなどのような機械読み取り可能な媒体に含まれる、ソフトウェアのような機械実行可能な命令を用いて実装されることができる。したがって、とりわけ、様々な実施形態は、機械、例えば、プロセッサ及び関連するハードウェアに、上記方法の一つ以上のステップを実行させるための機械実行可能な命令を含む機械読み取り可能な媒体に向けられる。
【００６９】
ＯＦＤＭシステムの文脈に記述された一方、様々な実施形態の方法及び装置の少なくとも幾つかは、多くの非ＯＦＤＭ及び／又は非セルラーシステムを含む通信システムに広く適用可能である。
【００７０】
上記した方法及び装置における多数の追加のバリエーションは、前述した説明を考慮して当業者には明白になるであろう。そのようなバリエーションは、スコープ内で考慮される。様々な実施形態の方法及び装置は、様々な実施形態においてそうであるように、ＣＤＭＡ、直交波周波数分割多重（ＯＦＤＭ）及び／又はアクセスノードとモバイルノードとの間に無線通信リンクを提供するために用いられても良い様々な他の型の通信技術とともに、用いられても良い。幾つかの実施形態において、アクセスノードは、ＯＦＤＭ及び／又はＣＤＭＡを用いてモバイルノードとの通信リンクを確立する基地局として実装される。様々な実施形態において、モバイルノードは、様々な実施形態の方法の実装のために、ノートブックコンピュータ、携帯情報端末（ＰＤＡ）、又は受信機／送信機回路及びロジック及び／又はルーチンを含む他のポータブル機器として実装される。
【図１】
2014057326.tif 000003
【図２】
2014057326.tif 000004
【図３】
2014057326.tif 000005
【図４】
2014057326.tif 000006
【図５】
2014057326.tif 000007
【図６】
2014057326.tif 000008
【図７】
2014057326.tif 000009
【図８】
2014057326.tif 000010
【図９】
2014057326.tif 000011
【図１０】
2014057326.tif 000012
【図１１】
2014057326.tif 000013
【図１２】
2014057326.tif 000014
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
ネットワークノードを、無線端末へ向けられたパケットを受信するように操作すること、
前記ネットワークノードを、前記受信パケットのルーティングに用いるために、無線端末との複数同時に保持されるＯＦＤＭ無線通信リンクの一つを選択するように操作すること、ここで、前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のＯＦＤＭ通信リンクは、同じ基地局の異なるセクタに対するものである、及び、
選択された前記ＯＦＤＭ無線リンク上での前記無線端末への配送のために、選択された前記ＯＦＤＭ通信リンクに対応する接続ポイントに対して、前記パケットを通信すること、
を含み、
前記無線端末は、単一の受信機を備えたものであり、前記第１及び第２のキャリア周波数は、いずれも、前記無線端末の前記単一の受信機により受信されることが可能な単一の周波数バンド内にあり、これにより、前記無線端末が前記単一の受信機を用いて両キャリア周波数を同時に受信することを可能にする通信方法。
【請求項２】
前記ネットワークノードを前記複数同時に保持されるＯＦＤＭ無線通信リンクの一つを選択するように操作することは、前記複数同時に保持されるＯＦＤＭ無線通信リンクから選択するために、配送されるパケットに対応するアプリケーションについてのアプリケーション情報を提供するインジケータを用いることを含む、請求項１の通信方法。
【請求項３】
前記アプリケーション情報は、アプリケーションのタイプを示し、
前記示されたアプリケーションのタイプは、音声アプリケーション、データアプリケーション、及びブロードキャストアプリケーションの一つである、請求項２の通信方法。
【請求項４】
前記ネットワークノードを前記複数同時に保持されるＯＦＤＭ無線通信リンクの一つを選択するように操作することは、パケットのルーティングに前記複数のリンクのいずれを用いるかを判定するために、アプリケーション要求に関係する情報を用いることを含む、請求項２の通信方法。
【請求項５】
前記アプリケーション要求に関係する情報は、パケット配送レイテンシー、バンド幅要求、データレート及びデータ量の少なくとも一つを示す、請求項４の通信方法。
【請求項６】
前記ネットワークノードは、ホームエージェントであり、
前記方法は、更に、ホームエージェントを、前記無線端末に対応する複数の気付けアドレス及び複数の共有気付けアドレスの少なくとも一つを記憶するように操作することを含む、請求項２の通信方法。
【請求項７】
前記無線端末に対応する異なる気付けアドレス又は異なる共有気付けアドレスは、前記複数のリンクの異なるものに対応する、請求項２の通信方法。
【請求項８】
前記方法は、前記ネットワークノードを、前記複数同時に保持される無線通信リンクに対応するリンク品質情報を受信するように操作することを更に含み、
前記ネットワークノードを前記複数同時に保持されるＯＦＤＭ無線通信リンクの一つを選択するように操作することは、前記複数同時に保持されるＯＦＤＭ無線通信リンクから選択するために、受信したリンク品質情を用いることを含む、請求項１の通信方法。
【請求項９】
前記方法は、前記ネットワークノードを、接続ポイント負荷情報を受信するように操作することを更に含み、
前記ネットワークノードを前記複数同時に保持されるＯＦＤＭ無線通信リンクの一つを選択するように操作することは、ネットワーク接続ポイント負荷情報の機能として前記通信リンクを選択することを含む、請求項８の通信方法。
【請求項１０】
前記方法は、前記ネットワークノードを、リンク干渉情報を受信するように操作することを更に含み、
前記ネットワークノードを前記複数同時に保持されるＯＦＤＭ無線通信リンクの一つを選択するように操作することは、リンク干渉情報の機能として前記通信リンクを選択することを含む、請求項８の通信方法。
【請求項１１】
通信ネットワークにおいて使用されるネットワークノードであって、
無線端末へ向けられたパケットを受信するための手段と、
前記受信パケットのルーティングに用いるために、無線端末との複数同時に保持されるＯＦＤＭ無線通信リンクの一つを選択するための手段と、ここで、前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のＯＦＤＭ通信リンクは、同じ基地局の異なるセクタに対するものである、
選択された前記ＯＦＤＭ無線リンク上での前記無線端末への配送のために、選択された前記ＯＦＤＭ通信リンクに対応する接続ポイントに対して、前記パケットを通信するための手段とを含み、
前記無線端末は、単一の受信機を備えたものであり、前記第１及び第２のキャリア周波数は、いずれも、前記無線端末の前記単一の受信機により受信されることが可能な単一の周波数バンド内にあり、これにより、前記無線端末が前記単一の受信機を用いて両キャリア周波数を同時に受信することを可能にするネットワークノード。
【請求項１２】
前記複数同時に保持されるＯＦＤＭ無線通信リンクの一つを選択するための手段は、前記複数同時に保持されるＯＦＤＭ無線通信リンクから選択するために、配送されるパケットに対応するアプリケーションについてのアプリケーション情報を提供するインジケータを用いるための手段を含む、請求項１１のネットワークノード。
【請求項１３】
前記アプリケーション情報は、アプリケーションのタイプを示し、
前記示されたアプリケーションのタイプは、音声アプリケーション、データアプリケーション、及びブロードキャストアプリケーションの一つである、請求項１２のネットワークノード。
【請求項１４】
前記複数同時に保持されるＯＦＤＭ無線通信リンクの一つを選択するための手段は、パケットのルーティングに前記複数のリンクのいずれを用いるかを判定するために、アプリケーション要求に関係する情報を用いるための手段を含む、請求項１２のネットワークノード。
【請求項１５】
前記アプリケーション要求に関係する情報は、パケット配送レイテンシー、バンド幅要求、データレート及びデータ量の少なくとも一つを示す、請求項１４のネットワークノード。
【請求項１６】
前記ネットワークノードは、ホームエージェントであり、
前記ネットワークノードは、更に、ホームエージェントを、前記無線端末に対応する複数の気付けアドレス及び複数の共有気付けアドレスの少なくとも一つを記憶するための手段を含む、請求項１２のネットワークノード。
【請求項１７】
前記無線端末に対応する異なる気付けアドレス又は異なる共有気付けアドレスは、前記複数のリンクの異なるものに対応する、請求項１２のネットワークノード。
【請求項１８】
前記ネットワークノードは、前記複数同時に保持される無線通信リンクに対応するリンク品質情報を受信するための手段を更に含み、
前記複数同時に保持されるＯＦＤＭ無線通信リンクの一つを選択するための手段は、前記複数同時に保持されるＯＦＤＭ無線通信リンクから選択するために、受信したリンク品質情を用いるための手段を含む、請求項１１のネットワークノード。
【請求項１９】
前記ネットワークノードは、接続ポイント負荷情報を受信するための手段を更に含み、
前記複数同時に保持されるＯＦＤＭ無線通信リンクの一つを選択するための手段は、ネットワーク接続ポイント負荷情報の機能として前記通信リンクを選択するための手段を含む、請求項１８のネットワークノード。
【請求項２０】
前記ネットワークノードは、リンク干渉情報を受信するための手段を更に含み、
前記複数同時に保持されるＯＦＤＭ無線通信リンクの一つを選択するための手段は、リンク干渉情報の機能として前記通信リンクを選択するための手段を含む、請求項１８のネットワークノード。
【請求項２１】
ネットワークノードであって、
無線端末に対応するアドレスを含むパケットを他のネットワークノードから受信するための受信機、
無線端末との複数同時に保持されるＯＦＤＭ無線通信リンクの一つを、前記受信パケットの該無線端末へのルーティングに用いるために、選択するためのルーティング制御モジュール、ここで、前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のＯＦＤＭ通信リンクは、同じ基地局の異なるセクタに対するものである、及び、
選択された前記ＯＦＤＭ無線リンク上での前記無線端末への配送のために、選択された前記ＯＦＤＭ通信リンクに対応する接続ポイントに対して、前記パケットを通信するための送信機、
を含み、
前記無線端末は、単一の受信機を備えたものであり、前記第１及び第２のキャリア周波数は、いずれも、前記無線端末の前記単一の受信機により受信されることが可能な単一の周波数バンド内にあり、これにより、前記無線端末が前記単一の受信機を用いて両キャリア周波数を同時に受信することを可能にするネットワークノード。
【請求項２２】
前記ルーティング制御モジュールは、前記複数同時に保持されるＯＦＤＭ無線通信リンクから選択するために、配送されるパケットに対応するアプリケーションについてのアプリケーション情報を提供する、受信パケット中に含まれるインジケータを用いるためのアプリケーション情報インジケータ処理モジュールを含む、請求項２１のネットワークノード。
【請求項２３】
前記ルーティング制御モジュールは、パケットのルーティングに用いるために前記複数の利用可能なリンクから選択する場合に考慮すべきアプリケーション要求を判定するアプリケーション要求判定モジュールを含む、請求項２２のネットワークノード。
【請求項２４】
前記ネットワークノードは、ホームエージェントであり、
前記ネットワークノードは、更に、ホームエージェントを、前記無線端末に対応する複数の気付けアドレス及び複数の共有気付けアドレスの少なくとも一つを記憶するメモリを含む、請求項２２のネットワークノード。
【請求項２５】
前記無線端末に対応する異なる気付けアドレス又は異なる共有気付けアドレスは、前記複数のリンクの異なるものに対応する、請求項２２のネットワークノード。
【請求項２６】
前記ネットワークノードは、前記複数同時に保持される無線通信リンクの少なくとも幾つかにおける情報を提供するリンク品質情報を受信するためのリンク品質情報モジュールを更に含み、
前記ネットワークノードを、前記複数同時に保持されるＯＦＤＭ無線通信リンクの一つを選択するように操作することは、前記複数同時に保持されるＯＦＤＭ無線通信リンクから選択するために、受信したリンク品質情を用いることを含む、請求項２１のネットワークノード。
【請求項２７】
単一の受信機を備えた無線端末を操作する方法において、
第１及び第２のネットワーク接続ポイントとの第１及び第２のＯＦＤＭ通信リンクをそれぞれ同時に保持すること、ここで、前記第１及び第２のＯＦＤＭ通信リンクは、同じ基地局の異なるセクタに対するものである、
第１のアプリケーションに対応するパケットを通信する第１のＯＦＤＭ通信リンク上で、信号を通信するために用いられるトーンを受信すること、
第２のアプリケーションに対応するパケットを通信する第２のＯＦＤＭ通信リンク上で、信号を通信するために用いられるトーンを受信すること、及び、
前記第１及び第２のＯＦＤＭ通信リンクに対応する受信トーンからパケットを再生すること、
を含み、
前記第１のＯＦＤＭ通信リンクは、第１のキャリア周波数を使用し、前記第２のＯＦＤＭ通信リンクは、第２のキャリア周波数を使用し、前記第１及び第２のキャリア周波数は、異なるものであり、
前記第１のＯＦＤＭ通信リンクに対応するトーンを受信し及び前記第２のＯＦＤＭ通信リンクに対応するトーンを受信するステップは、単一のアナログ受信機フィルタを通して、前記第１のＯＦＤＭ通信リンクに対応するトーン及び前記第２のＯＦＤＭ通信リンクに対応するトーンを含み、前記第１及び第２のＯＦＤＭ通信リンクに対応するキャリア周波数を含む、受信信号を通過させることを含み、
前記第１及び第２のＯＦＤＭ通信リンクに対応する受信トーンからパケットを再生するステップは、前記単一のアナログ受信機フィルタにより生成された濾過信号をデジタイズすること、及び、前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理することを含む無線端末操作方法。
【請求項２８】
前記第１及び第２のＯＦＤＭ通信リンクの少なくとも一つは、双方向通信リンクであり、
前記通信方法は、更に、前記双方向通信リンク上に少なくとも幾つかのパケットを送信することを含む、請求項２７の無線端末操作方法。
【請求項２９】
前記第１及び第２のＯＦＤＭ通信リンクは、異なるトーンブロックを用いる、請求項２７の無線端末操作方法。
【請求項３０】
前記第１のＯＦＤＭ通信リンクは、双方向通信リンクであり、前記第２のＯＦＤＭ通信リンクは、片方向通信リンクである、請求項２７の無線端末操作方法。
【請求項３１】
保持されている前記第１及び第２のＯＦＤＭ通信リンクと同時に第３のネットワーク接続ポイントとの第３の通信リンクを保持すること、及び、
前記第３の通信リンク上で、第３のアプリケーションに対応するパケットを受信することを更に含む、請求項２７の無線端末操作方法。
【請求項３２】
前記第１のＯＦＤＭ通信リンク及び第３の通信リンクは、双方向通信リンクであり、前記第２のＯＦＤＭ通信リンクは、片方向通信リンクである、請求項３１の無線端末操作方法。
【請求項３３】
前記第１のＯＦＤＭ通信リンク上に、前記第１のアプリケーションに対応するパケットを送信すること、及び、
前記第３の通信リンク上に、前記第３のアプリケーションに対応するパケットを送信することを更に含む、請求項３２の無線端末操作方法。
【請求項３４】
前記第１のアプリケーションは、データアプリケーションであり、前記第２のアプリケーションは、ダウンリンクビデオブロードキャストアプリケーションであり、前記第３のアプリケーションは、音声アプリケーションである、請求項３３の無線端末操作方法。
【請求項３５】
前記第１のアプリケーションに対応するパケットを再生することは、前記第１の接続ポイントからの受信ＯＦＤＭダウンリンク信号を処理することを含み、
前記第２のアプリケーションに対応するパケットを再生することは、前記第２の接続ポイントからの受信ＯＦＤＭダウンリンク信号を処理することを含み、
前記第３のアプリケーションに対応するパケットを受信することは、前記第３の接続ポイントからの受信ＣＤＭＡダウンリンク信号を処理することを含む、請求項３３の無線端末操作方法。
【請求項３６】
第１及び第２のネットワーク接続ポイントとの第１及び第２のＯＦＤＭ通信リンクを同時に保持することは、第１のアプリケーションに関連する第１のＩＰアドレスと第２のアプリケーションに関連する第２のＩＰアドレスとの、二つの異なるＩＰアドレスを保持することを含む、請求項２７の無線端末操作方法。
【請求項３７】
単一の受信機を備えた無線端末において、
第１及び第２のネットワーク接続ポイントとの第１及び第２のＯＦＤＭ通信リンクをそれぞれ同時に保持するための手段と、ここで、前記第１及び第２のＯＦＤＭ通信リンクは、同じ基地局の異なるセクタに対するものである、
第１のアプリケーションに対応するパケットを通信する第１のＯＦＤＭ通信リンク上で、信号を通信するために用いられるトーンを受信するための手段と、
第２のアプリケーションに対応するパケットを通信する第２のＯＦＤＭ通信リンク上で、信号を通信するために用いられるトーンを受信するための手段と、
前記第１及び第２のＯＦＤＭ通信リンクに対応する受信トーンからパケットを再生するための手段とを含み、
前記第１のＯＦＤＭ通信リンクは、第１のキャリア周波数を使用し、前記第２のＯＦＤＭ通信リンクは、第２のキャリア周波数を使用し、前記第１及び第２のキャリア周波数は、異なるものであり、
前記無線端末は、
単一のアナログ受信機フィルタを通して、前記第１のＯＦＤＭ通信リンクに対応するトーン及び前記第２のＯＦＤＭ通信リンクに対応するトーンを含み、前記第１及び第２のＯＦＤＭ通信リンクに対応するキャリア周波数を含む、受信信号を通過させるための手段と、
前記単一のアナログ受信機フィルタにより生成された濾過信号をデジタイズするための手段と、
前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理するための手段とを更に含む無線端末。
【請求項３８】
前記第１及び第２のＯＦＤＭ通信リンクの少なくとも一つは、双方向通信リンクであり、
前記無線端末は、更に、前記双方向通信リンク上に少なくとも幾つかのパケットを送信するための手段を含む、請求項３７の無線端末。
【請求項３９】
前記第１及び第２のＯＦＤＭ通信リンクは、異なるトーンブロックを用いる、請求項３７の無線端末。
【請求項４０】
前記第１のＯＦＤＭ通信リンクは、双方向通信リンクであり、前記第２のＯＦＤＭ通信リンクは、片方向通信リンクである、請求項３７の無線端末。
【請求項４１】
保持されている前記第１及び第２のＯＦＤＭ通信リンクと同時に第３のネットワーク接続ポイントとの第３の通信リンクを保持するための手段と、
前記第３の通信リンク上で、第３のアプリケーションに対応するパケットを受信するための手段とを更に含む、請求項３７の無線端末。
【請求項４２】
前記第１のＯＦＤＭ通信リンク及び第３の通信リンクは、双方向通信リンクであり、前記第２のＯＦＤＭ通信リンクは、片方向通信リンクである、請求項４１の無線端末。
【請求項４３】
前記第１のＯＦＤＭ通信リンク上に、前記第１のアプリケーションに対応するパケットを送信するための手段と、
前記第３の通信リンク上に、前記第３のアプリケーションに対応するパケットを送信するための手段とを更に含む、請求項４２の無線端末。
【請求項４４】
前記第１のアプリケーションは、データアプリケーションであり、前記第２のアプリケーションは、ダウンリンクビデオブロードキャストアプリケーションであり、前記第３のアプリケーションは、音声アプリケーションである、請求項４３の無線端末。
【請求項４５】
前記第１のアプリケーションに対応するパケットを再生するための手段は、前記第１の接続ポイントからの受信ＯＦＤＭダウンリンク信号を処理するための手段を含み、
前記第２のアプリケーションに対応するパケットを再生するための手段は、前記第２の接続ポイントからの受信ＯＦＤＭダウンリンク信号を処理するための手段を含み、
前記第３のアプリケーションに対応するパケットを受信するための手段は、前記第３の接続ポイントからの受信ＣＤＭＡダウンリンク信号を処理するための手段を含む、請求項４２の無線端末。
【請求項４６】
前記第１及び第２のネットワーク接続ポイントとの第１及び第２のＯＦＤＭ通信リンクを同時に保持するための手段は、第１のアプリケーションに関連する第１のＩＰアドレスと第２のアプリケーションに関連する第２のＩＰアドレスとの、二つの異なるＩＰアドレスを保持するための手段を含む、請求項３７の無線端末。
【請求項４７】
単一の受信機を備えた無線端末において、
第１及び第２のネットワーク接続ポイントとの第１及び第２のＯＦＤＭ通信リンクをそれぞれ同時に保持するためのリンク状態情報を含むメモリと、
第１のアプリケーションに対応するパケットを通信する第１のＯＦＤＭ通信リンク上で信号を通信するために用いられるトーンと、第２のアプリケーションに対応するパケットを通信する第２のＯＦＤＭ通信リンク上で信号を通信するために用いられるトーンとを同時に受信するための受信機モジュールと、
前記第１及び第２のＯＦＤＭ通信リンクに対応する受信トーンからパケットを再生するためのパケットモジュールとを含み、
前記第１及び第２のＯＦＤＭ通信リンクは、同じ基地局の異なるセクタに対するものであるが、異なる第１及び第２のキャリア周波数を用いるものであり、
前記受信機モジュールは、
前記第１及び第２のＯＦＤＭ通信リンクに対応する前記トーンを通過させるための単一のアナログ受信機フィルタと、
前記単一のアナログ受信機フィルタにより生成された濾過信号をデジタイズするためのアナログ・デジタルコンバータと、
第１及び第２のデジタル信号処理モジュールとを含み、
前記第１のデジタル信号処理モジュールは、前記第１のパケットを再生するために、第１のデジタル受信機チェーンを用いて、前記第１のＯＦＤＭ通信リンクに対応する前記デジタイズされた信号中のトーンを処理し、前記第２のデジタル信号処理モジュールは、前記第１のパケットを再生するために、第２のデジタル受信機チェーンを用いて、前記第２のＯＦＤＭ通信リンクに対応する前記デジタイズされた信号中のトーンを処理する無線端末。
【請求項４８】
前記第１及び第２のＯＦＤＭ通信リンクの少なくとも一つは、双方向通信リンクであり、
前記無線端末は、更に、前記双方向通信リンク上に少なくとも幾つかのパケットを送信するための手段を含む、請求項４７の無線端末。
【請求項４９】
前記第１のＯＦＤＭ通信リンクは、双方向通信リンクであり、前記第２のＯＦＤＭ通信リンクは、片方向通信リンクである、請求項４７の無線端末。
【請求項５０】
前記メモリは、更に、
保持されている前記第１及び第２のＯＦＤＭ通信リンクと同時に第３のネットワーク接続ポイントとの第３の通信リンクを保持するために記憶された状態情報を含み、
前記受信機モジュールは、更に、
前記第３の通信リンク上を通信された信号から、第３のアプリケーションに対応するパケットを再生するための第３のデジタル信号処理モジュールを含む、請求項４７の無線端末。
【請求項５１】
前記第１及び第２のＯＦＤＭ通信リンクに対応するメモリ中に記憶された前記状態情報は、第１のアプリケーション及び第１のＯＦＤＭ通信リンクに関連する第１のＩＰアドレスと第２のアプリケーション及び第２のＯＦＤＭ通信リンクに関連する第２のＩＰアドレスとの、二つの異なるＩＰアドレスを含む、請求項４７の無線端末。
【請求項５２】
ネットワークノードに通信方法を実行させるように制御するための機械実行可能な命令を格納したコンピュータ読み取り可能な媒体であって、
前記方法は、
ネットワークノードを、無線端末へ向けられたパケットを受信するように操作すること、
前記ネットワークノードを、前記受信パケットのルーティングに用いるために、無線端末との複数同時に保持されるＯＦＤＭ無線通信リンクの一つを選択するように操作すること、ここで、前記複数同時に保持されるＯＦＤＭ無線通信リンクは、第１のキャリア周波数に対応する第１のＯＦＤＭ通信リンク及び第２のキャリア周波数に対応する第２のＯＦＤＭ通信リンクを含み、前記第１及び第２のＯＦＤＭ通信リンクは、同じ基地局の異なるセクタに対するものである、及び、
選択された前記ＯＦＤＭ無線リンク上での前記無線端末への配送のために、選択された前記ＯＦＤＭ通信リンクに対応する接続ポイントに対して、前記パケットを通信すること、
を含み、
前記無線端末は、単一の受信機を備えたものであり、前記第１及び第２のキャリア周波数は、いずれも、前記無線端末の前記単一の受信機により受信されることが可能な単一の周波数バンド内にあり、これにより、前記無線端末が前記単一の受信機を用いて両キャリア周波数を同時に受信することを可能にするコンピュータ読み取り可能な媒体。
【請求項５３】
前記コンピュータ読み取り可能な媒体は、更に、前記ネットワークノードを前記複数同時に保持されるＯＦＤＭ無線通信リンクの一つを選択するように操作するステップの一部として、前記複数同時に保持されるＯＦＤＭ無線通信リンクから選択するために、配送されるパケットに対応するアプリケーションについてのアプリケーション情報を提供するインジケータを用いるための機械実行可能な命令を格納する、請求項５２のコンピュータ読み取り可能な媒体。
【請求項５４】
前記コンピュータ読み取り可能な媒体は、更に、前記ネットワークノードを前記複数同時に保持されるＯＦＤＭ無線通信リンクの一つを選択するように操作するステップの一部として、パケットのルーティングに前記複数のリンクのいずれを用いるかを判定するために、アプリケーション要求に関係する情報を用いるための機械実行可能な命令を格納する、請求項５３のコンピュータ読み取り可能な媒体。
【請求項５５】
前記コンピュータ読み取り可能な媒体は、更に、前記ネットワークノードを前記複数同時に保持されるＯＦＤＭ無線通信リンクの一つを選択するように操作するステップの一部として、前記ネットワークノードを、前記複数同時に保持される無線通信リンクに対応するリンク品質情報を受信するように操作し、及び、前記複数同時に保持されるＯＦＤＭ無線通信リンクから選択するために、受信したリンク品質情を用いるための機械実行可能な命令を格納する、請求項５２のコンピュータ読み取り可能な媒体。
【請求項５６】
単一の受信機を備えた無線端末に通信方法を実行させるように制御するための機械実行可能な命令を格納したコンピュータ読み取り可能な媒体であって、
前記方法は、
第１及び第２のネットワーク接続ポイントとの第１及び第２のＯＦＤＭ通信リンクをそれぞれ同時に保持すること、ここで、前記第１及び第２のＯＦＤＭ通信リンクは、同じ基地局の異なるセクタに対するものである、
第１のアプリケーションに対応するパケットを通信する第１のＯＦＤＭ通信リンク上で、信号を通信するために用いられるトーンを受信すること、
第２のアプリケーションに対応するパケットを通信する第２のＯＦＤＭ通信リンク上で、信号を通信するために用いられるトーンを受信すること、及び、
前記第１及び第２のＯＦＤＭ通信リンクに対応する受信トーンからパケットを再生すること、
を含み、
前記第１のＯＦＤＭ通信リンクは、第１のキャリア周波数を使用し、前記第２のＯＦＤＭ通信リンクは、第２のキャリア周波数を使用し、前記第１及び第２のキャリア周波数は、異なるものであり、
前記コンピュータ読み取り可能な媒体は、更に、
前記第１のＯＦＤＭ通信リンクに対応するトーンを受信し及び前記第２のＯＦＤＭ通信リンクに対応するトーンを受信するステップの一部として、単一のアナログ受信機フィルタを通して、前記第１のＯＦＤＭ通信リンクに対応するトーン及び前記第２のＯＦＤＭ通信リンクに対応するトーンを含み、前記第１及び第２のＯＦＤＭ通信リンクに対応するキャリア周波数を含む、受信信号を通過させ、
前記第１及び第２のＯＦＤＭ通信リンクに対応する受信トーンからパケットを再生するステップの一部として、前記単一のアナログ受信機フィルタにより生成された濾過信号をデジタイズし、及び、
前記第１及び第２のＯＦＤＭ通信リンクに対応する受信トーンからパケットを再生するステップの一部として、前記第１のパケットを再生するために、第１のデジタル受信機チェーンを用いて前記デジタイズされた信号中のトーンを処理し及び前記第２のパケットを再生するために、第２のデジタル受信機チェーンを用いて前記デジタイズされた信号中のトーンを処理するための機械実行可能な命令を格納するコンピュータ読み取り可能な媒体。
【請求項５７】
前記第１のＯＦＤＭ通信リンクは、双方向通信リンクであり、前記第２のＯＦＤＭ通信リンクは、片方向通信リンクである、請求項５６のコンピュータ読み取り可能な媒体。
【請求項５８】
前記第１のＯＦＤＭ通信リンク及び第３の通信リンクは、双方向通信リンクであり、前記第２のＯＦＤＭ通信リンクは、片方向通信リンクである、請求項５７のコンピュータ読み取り可能な媒体。
【請求項５９】
前記第１のアプリケーションは、データアプリケーションであり、前記第２のアプリケーションは、ダウンリンクビデオブロードキャストアプリケーションであり、前記第３のアプリケーションは、音声アプリケーションである、請求項５８のコンピュータ読み取り可能な媒体。
【請求項６０】
前記コンピュータ読み取り可能な媒体は、更に、
前記第１のアプリケーションに対応するパケットを再生するステップの一部として、前記第１の接続ポイントからの受信ＯＦＤＭダウンリンク信号を処理し、
前記第２のアプリケーションに対応するパケットを再生するステップの一部として、前記第２の接続ポイントからの受信ＯＦＤＭダウンリンク信号を処理し、及び、
前記第３のアプリケーションに対応するパケットを受信するステップの一部として、前記第３の接続ポイントからの受信ＣＤＭＡダウンリンク信号を処理するための機械実行可能な命令を格納する、請求項５９のコンピュータ読み取り可能な媒体。
【請求項６１】
前記コンピュータ読み取り可能な媒体は、更に、
第１及び第２のネットワーク接続ポイントとの第１及び第２のＯＦＤＭ通信リンクを同時に保持するステップの一部として、第１のアプリケーションに関連する第１のＩＰアドレスと第２のアプリケーションに関連する第２のＩＰアドレスとの、二つの異なるＩＰアドレスを保持するための機械実行可能な命令を格納する、請求項５６のコンピュータ読み取り可能な媒体。
【外国語明細書】
2014057326000001.pdf